(57)【要約】【課題】蓄電素子モジュールを小型化する。【解決手段】蓄電素子モジュール２０は、積層方向ＤＡに積層された複数のセル３０と、積層方向に隣り合い互いに電気的に接続された或る二つのセルのタブ３５の間に配置された電極部材と、を有する。各セルは、周縁部３１Ｅにタブ３５を有する。セルの周縁部における厚みは、周縁部によって取り囲まれるセルの中央部３１Ｃの厚みよりも薄くなっている。電極部材８０は、電気的に接続された二つのセルと電気的に接続している。電極部材８０は、積層方向に直交する方向に沿って中央部からずれた位置に設けられている。【選択図】図１２
2020170621.tif 000002
【特許請求の範囲】
【請求項１】
積層方向に積層された複数のセルであって、各セルが周縁部にタブを有し且つ前記周縁部における厚みが前記周縁部によって取り囲まれる中央部の厚みよりも薄くなっている、複数のセルと、
前記積層方向に隣り合い互いに電気的に接続された或る二つのセルの前記タブの間に配置され、前記電気的に接続された二つのセルと電気的に接続した電極部材と、を備え、
前記電極部材は、前記積層方向に直交する方向に前記中央部からずれた位置に設けられている、蓄電素子モジュール。
【請求項２】
前記複数のセルを収容するケースを更に備え、
前記ケースは、前記電極部材の前記積層方向への前記ケースに対する相対移動を許容し、前記電極部材の前記積層方向へ直交する方向への前記ケースに対する相対移動を規制するよう、前記電極部材を保持する、請求項１に記載の蓄電素子モジュール。
【請求項３】
前記複数のセルを収容するケースを更に備え、
前記ケースは、前記積層方向における一側から前記複数のセルを支持する底部と、前記底部から前記積層方向へ立ち上がった側壁部と、を有し、
前記側壁部には、前記複数のセルの前記タブが通過する切欠部が設けられ、
前記電極部材は、前記側壁部に支持されている、請求項１又は２に記載の蓄電素子モジュール。
【請求項４】
前記複数のセルを収容するケースを更に備え、
前記ケースは、前記積層方向における一側から前記複数のセルを支持する底部と、前記底部から前記積層方向へ立ち上がった側壁部と、を有し、
前記電極部材及び前記側壁部の一方は、前記積層方向に延びる凹部を有し、
前記電極部材及び前記側壁部の他方は、前記凹部に挿入され且つ前記凹部に対して前記積層方向に相対移動可能な凸部を有する、請求項１〜３のいずれか一項に記載の蓄電素子モジュール。
【請求項５】
前記セルは、複数の電極板を含む電極体と、前記電極体を収容した外装体と、前記電極体と接続して前記外装体の外部まで延び出した前記タブと、を有し、
前記タブは、前記外装体から延び出した基端部と、前記基端部に対して屈曲した先端部と、を有し、
前記電気的に接続された二つのセルの前記タブの前記先端部は、前記電極部材上において互いに面接触している、請求項１〜４のいずれか一項に記載の蓄電素子モジュール。
【請求項６】
前記基端部は前記積層方向に直交する方向に延び、前記先端部は前記積層方向に延びている、請求項５に記載の蓄電素子モジュール。
【請求項７】
前記電気的に接続された二つのセルのうちの前記積層方向における一側に位置するタブの前記先端部は、当該タブの前記基端部から前記積層方向における他側に延び出し、前記電気的に接続された二つのセルのうちの前記積層方向における前記他側に位置するタブの前記先端部は、当該タブの前記基端部から前記積層方向における一側に延び出している、請求項６に記載の蓄電素子モジュール。
【請求項８】
前記セルは、複数の電極板を含む電極体と、前記電極体を収容した外装体と、前記電極体と接続して前記外装体の外部まで延び出した前記タブと、を有し、
前記外装体は、前記中央部を形成する膨出部を有した第１外装材と、前記第１外装材との間で前記電極体を収容する空間を形成する平坦な第２外装材と、を有し、
前記複数のセルは、前記第１外装材が前記積層方向における一側を向き前記第２外装材が前記積層方向における他側を向くセルと、前記第２外装材が前記積層方向における一側を向き前記第１外装材が前記積層方向における他側を向くセルと、が積層方向に交互に配置されるように、積層されている、請求項１〜７のいずれか一項に記載の蓄電素子モジュール。
【請求項９】
前記電極部材が配置される前記電気的に接続された二つのセルは、前記第１外装材が互いに対面するようにして積層されている、請求項８に記載の蓄電素子モジュール。
【請求項１０】
前記電極部材の前記積層方向に沿った厚みは、前記膨出部の前積層方向に沿った突出長さより大きく、前記膨出部の前積層方向に沿った突出長さの二倍以下である、請求項９に記載の蓄電素子モジュール。
【請求項１１】
請求項１〜１０のいずれか一項に記載された蓄電素子モジュールを複数含む蓄電素子ユニット。
【請求項１２】
請求項１１の蓄電素子ユニットを備える、建物。
【請求項１３】
積層方向に積層された複数のセルを収容するケースであって、前記積層方向における一側から前記複数のセルを支持する底部と、前記底部から前記積層方向へ立ち上がった側壁部と、を有するケースと、
前記積層方向に隣り合い互いに電気的に接続された或る二つのセルのタブの間に配置され、前記電気的に接続された二つのセルと電気的に接続した電極部材と、を備え、
各セルが周縁部に前記タブを有し且つ前記周縁部における厚みが前記周縁部によって取り囲まれる中央部の厚みよりも薄くなっており、
前記電極部材は、前記積層方向に直交する方向に前記中央部からずれた位置に設けられている、蓄電素子モジュール用の収容体。
【発明の詳細な説明】
【技術分野】
【０００１】
本発明は、複数のセルを有した蓄電素子モジュール、及び、複数の蓄電素子モジュールを有した蓄電素子ユニット、蓄電素子ユニットを含む建物、及び、蓄電素子モジュール用の収容体に関する。
【背景技術】
【０００２】
例えば、特許文献１に開示されているように、複数の蓄電素子モジュールを有した蓄電素子ユニットが知られている。各蓄電素子モジュールは、積層された複数のセルを含んでいる。各蓄電素子モジュールにおいて、積層方向に隣り合う二つのセルは、電気的に接続または絶縁される。隣り合う二つのセルを近接して配置した場合、タブの意図しない短絡、例えば一つのセルのタブが他のセルの外装材との接触する等不具合が生じ得る。このような不具合を回避するには、当該二つのセルを互いから離間させて配置することが有効である。しかしながら、二つのセルを互いから離間させて配置すると、蓄電素子モジュールが大型化し、蓄電素子モジュールのエネルギー効率が低下してしまう。
【先行技術文献】
【特許文献】
【０００３】
【特許文献１】特開２０１７−５０２７号公報
【発明の概要】
【発明が解決しようとする課題】
【０００４】
本発明は、以上の点を考慮してなされたものであって、蓄電素子モジュールの小型化を目的とする。
【課題を解決するための手段】
【０００５】
本発明による蓄電素子モジュールは、
積層方向に積層された複数のセルであって、各セルが周縁部にタブを有し且つ前記周縁部における厚みが前記周縁部によって取り囲まれる中央部の厚みよりも薄くなっている、複数のセルと、
前記積層方向に隣り合い互いに電気的に接続された或る二つのセルの前記タブの間に配置され、前記電気的に接続された二つのセルと電気的に接続した電極部材と、を備え、
前記電極部材は、前記積層方向に直交する方向に前記中央部からずれた位置に設けられている。
【０００６】
本発明による蓄電素子モジュールは、
前記複数のセルを収容するケースを更に備え、
前記ケースは、前記電極部材の前記積層方向への前記ケースに対する相対移動を許容し、前記電極部材の前記積層方向へ直交する方向への前記ケースに対する相対移動を規制するよう、前記電極部材を保持するようにしてもよい。
【０００７】
本発明による蓄電素子モジュールは、
前記複数のセルを収容するケースを更に備え、
前記ケースは、前記積層方向における一側から前記複数のセルを支持する底部と、前記底部から前記積層方向へ立ち上がった側壁部と、を有し、
前記側壁部には、前記複数のセルの前記タブが通過する切欠部が設けられ、
前記電極部材は、前記側壁部に支持されていてもよい。
【０００８】
本発明による蓄電素子モジュールは、
前記複数のセルを収容するケースを更に備え、
前記ケースは、前記積層方向における一側から前記複数のセルを支持する底部と、前記底部から前記積層方向へ立ち上がった側壁部と、を有し、
前記電極部材及び前記側壁部の一方は、前記積層方向に延びる凹部を有し、
前記電極部材及び前記側壁部の他方は、前記凹部に挿入され且つ前記凹部に対して前記積層方向に相対移動可能な凸部を有するようにしてもよい。
【０００９】
本発明による蓄電素子モジュールにおいて、
前記セルは、複数の電極板を含む電極体と、前記電極体を収容した外装体と、前記電極体と接続して前記外装体の外部まで延び出した前記タブと、を有し、
前記タブは、前記外装体から延び出した基端部と、前記基端部に対して屈曲した先端部と、を有し、
前記電気的に接続された二つのセルの前記タブの前記先端部は、前記電極部材上において互いに面接触していてもよい。
【００１０】
本発明による蓄電素子モジュールにおいて、前記基端部は前記積層方向に直交する方向に延び、前記先端部は前記積層方向に延びていてもよい。
【００１１】
本発明による蓄電素子モジュールにおいて、前記電気的に接続された二つのセルのうちの前記積層方向における一側に位置するタブの前記先端部は、当該タブの前記基端部から前記積層方向における他側に延び出し、前記電気的に接続された二つのセルのうちの前記積層方向における前記他側に位置するタブの前記先端部は、当該タブの前記基端部から前記積層方向における一側に延び出していてもよい。
【００１２】
本発明による蓄電素子モジュールにおいて、
前記セルは、複数の電極板を含む電極体と、前記電極体を収容した外装体と、前記電極体と接続して前記外装体の外部まで延び出した前記タブと、を有し、
前記外装体は、前記中央部を形成する膨出部を有した第１外装材と、前記第１外装材との間で前記電極体を収容する空間を形成する平坦な第２外装材と、を有し、
前記複数のセルは、前記第１外装材が前記積層方向における一側を向き前記第２外装材が前記積層方向における他側を向くセルと、前記第２外装材が前記積層方向における一側を向き前記第１外装材が前記積層方向における他側を向くセルと、が積層方向に交互に配置されるように、積層されていてもよい。
【００１３】
本発明による蓄電素子モジュールにおいて、前記電極部材が配置される前記電気的に接続された二つのセルは、前記第１外装材が互いに対面するようにして積層されていてもよい。
【００１４】
本発明による蓄電素子モジュールにおいて、前記電極部材の前記積層方向に沿った厚みは、前記膨出部の前積層方向に沿った突出長さより大きく、前記膨出部の前積層方向に沿った突出長さの二倍以下であるようにしてもよい。
【００１５】
本発明による蓄電素子ユニットは、上述した本発明による蓄電素子モジュールのいずれかを複数備える。
【００１６】
本発明による建物は、上述した本発明による蓄電素子ユニットのいずれかを備える。
【００１７】
本発明による蓄電素子モジュール用の収容体は、
積層方向に積層された複数のセルを収容するケースであって、前記積層方向における一側から前記複数のセルを支持する底部と、前記底部から前記積層方向へ立ち上がった側壁部と、を有するケースと、
前記積層方向に隣り合い互いに電気的に接続された或る二つのセルのタブの間に配置され、前記電気的に接続された二つのセルと電気的に接続した電極部材と、を備え、
各セルが周縁部に前記タブを有し且つ前記周縁部における厚みが前記周縁部によって取り囲まれる中央部の厚みよりも薄くなっており、
前記電極部材は、前記積層方向に直交する方向に前記中央部からずれた位置に設けられている。
【発明の効果】
【００１８】
本発明によれば、蓄電素子モジュールを小型化して、エネルギー効率を改善することができる。
【図面の簡単な説明】
【００１９】
【図１】図１は、一実施の形態を説明するための図であって、蓄電素子ユニットを示す斜視図である。
【図２】図２は、図１の蓄電素子ユニットの内部を示す斜視図である。
【図３】図３は、図１の蓄電素子ユニットの収納箱内に配置された蓄電素子モジュール組合体及び蓄電素子モジュールを示す斜視図である。
【図４】図４は、図３の蓄電素子モジュール組合体を示す側面図であって、蓄電素子モジュール組合体を第２方向から示している。
【図５】図５は、図３の蓄電素子モジュール組合体の概略構成を示す正面図であって、蓄電素子モジュール組合体を第３方向から示している。
【図６】図６は、図３の蓄電素子モジュール組合体に含まれる蓄電素子モジュールを示す斜視図である。
【図７】図７は、図６の蓄電素子モジュールを示す斜視図であって、蓄電素子モジュール第１方向における逆側から示している。
【図８】図８は、図６の蓄電素子モジュールに含まれる積層された複数のセルを示す斜視図である。
【図９】図９は、図８に示された一つのセルを示す斜視図である。
【図１０】図１０は、図８の複数のセルについての電気的な接続を説明するための図である。
【図１１】図１１は、図６の蓄電素子モジュールを示す斜視図であって、カバーをケースから取り外した状態を示している。
【図１２】図１２は、図６の蓄電素子モジュールの主たる構成を模式的に示す構成図である。
【図１３】図１３は、図６の蓄電素子モジュールの内部を拡大して示す部分斜視図である。
【図１４】図１４は、図６の蓄電素子モジュールに含まれるケースを示す斜視図である。
【図１５】図１５は、図１４の部分拡大図である。
【図１６】図１６は、図６の蓄電素子モジュールを示す縦断面図である。
【図１７】図１７は、図６の蓄電素子モジュールを示す縦断面図であって、第３方向に沿って図１６とは異なる位置で蓄電素子モジュールを示している。
【図１８】図１８は、図６の蓄電素子モジュールに含まれるタブブロックを示す斜視図である。
【図１９】図１９は、図６の蓄電素子モジュールに含まれる電極部材を示す斜視図である。
【図２０】図２０は、図６の蓄電素子モジュールの一部の構成を示す斜視図であって、ケースによるタブブロック及び電極部材の支持構造を説明するための図である。
【図２１】図２１は、図６の蓄電素子モジュールの一部の構成を示す斜視図であって、ケース及びタブブロックによるセルの位置決め構造を説明するための図である。
【図２２】図２２は、図１２に対応する図であって、セルの一変形例を説明するための図である。
【発明を実施するための形態】
【００２０】
以下、図面に示された具体例を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２１】
図１〜図２１は、本発明による一実施の形態及びその変形例を説明するための図である。このうち、図１は、蓄電素子ユニット１０を示す斜視図であり、図２は、蓄電素子ユニットの内部を示す斜視図であり、図３は、蓄電素子ユニットに含まれる蓄電素子モジュール２０を示している。蓄電素子ユニット１０は、充放電が可能な二次電池ユニットとして用いられる。図示された蓄電素子ユニット１０は、例えば、住宅や公共施設等の建物に適用され、建物の配線と電気的に接続されて建物内に設置された電気装置の電源として機能する。
【００２２】
図１及び図２に示すように、蓄電素子ユニット１０は、収納箱１１と、収納箱１１内に収納された制御モジュール１４及び複数の蓄電素子モジュール２０と、を有している。収納箱１１は、フレーム１２と、フレーム１２に固定されたパネル１３と、を有している。フレーム１２は、例えば金属製または樹脂製であり、或る程度の強度を有している。フレーム１２は、制御モジュール１４及び蓄電素子モジュール２０の配置空間を形成している。パネル１３は、例えば樹脂製または金属製の板状の部材である。パネル１３は、制御モジュール１４及び蓄電素子モジュール２０の配置空間を閉鎖している。
【００２３】
制御モジュール１４は、例えば、複数の蓄電素子モジュール２０の充電及び放電を制御する機能、蓄電素子モジュール２０の充電状態（例えば充電量）を監視する機能、蓄電素子モジュール２０の異常の有無を監視する機能の一以上を有する。また、制御モジュール１４は、蓄電素子ユニット１０の外部に設置された制御装置に、蓄電素子モジュール２０の充電状態や異常の有無の監視結果などの情報を、送信するようにしてもよい。また、制御モジュール１４は、蓄電素子ユニット１０の外部の配線（例えば、建物の配線）と、蓄電素子モジュール２０と、の間の電気的接続および遮断を切り替える開閉器を有するようにしてもよい。
【００２４】
図２では、上面と前面のパネルを取り外した状態で、蓄電素子ユニット１０を示している。また図３では、複数の蓄電素子モジュール２０を、収納箱１１に収容された状態にて、示している。図３に示すように、蓄電素子ユニット１０は、二つの蓄電素子モジュール組合体１５を有している。蓄電素子モジュール組合体１５は、第１方向ＤＡに積み重ねられた複数の蓄電素子モジュール２０を有している。二つの蓄電素子モジュール組合体１５は、第１方向ＤＡと非平行な第２方向ＤＢに並べて配列されている。
【００２５】
図示された例において、第１の蓄電素子モジュール組合体１５Ａは、第１方向ＤＡに積み重ねられた三つの蓄電素子モジュール２０を有する。第２の蓄電素子モジュール組合体１５Ｂは、第１の蓄電素子モジュール組合体１５Ａに第２方向ＤＢにおける一側ＳＢ１から隣接している。図２に示すように、第２の蓄電素子モジュール組合体１５Ｂは、第１方向ＤＡにおける一側ＳＡ１から制御モジュール１４を支持している。図４は、第１の蓄電素子モジュール組合体１５Ａを第２方向ＤＢにおける他側から示している。図５は、第１方向ＤＡ及び第２方向ＤＢの両方に非平行な第３方向ＤＣにおける一側ＳＣ１から第１の蓄電素子モジュール組合体１５Ａを概略的に示している。図６及び図７は、蓄電素子モジュール組合体１５に含まれる一つの蓄電素子モジュール２０を示している。蓄電素子ユニット１０に含まれる複数の蓄電素子モジュール２０は、互いに異なる構成を有していても良いし、互いに同一の構成を有していても良い。ただし、汎用性を向上させる観点から、複数の蓄電素子モジュール２０は、互いに同一の構成を有することが好ましく、少なくとも互いに同一の部品（例えば、後述するセル３０、ケース４０、カバー６０、タブブロック７０、電極部材８０）を含むことが好ましい。図示された例において、複数の蓄電素子モジュール２０は、互いに同一の構成を有している。
【００２６】
なお、図面間での方向関係を明確化するため、いくつかの図面には、第１方向ＤＡ、第２方向ＤＢ及び第３方向ＤＣを図面間で共通する方向として矢印で示している。矢印の先端側が、各方向ＤＡ，ＤＢ，ＤＣの一側ＳＡ１，ＳＢ２，ＳＣ３となる。また、図面の紙面に垂直な方向に沿って紙面の奥に向かう矢印を、例えば図４に示すように、円の中にＸを設けた記号により示した。図面の紙面に垂直な方向に沿って紙面から手前に向かう矢印を、例えば図５に示すように、円の中に点を設けた記号により示した。さらに、収納箱１１に収容される部品（例えば蓄電素子モジュール組合体１５や蓄電素子モジュール２０）等を示す図では、収納箱１１に収容された状態での方向および向きを示している。同様に、蓄電素子モジュール２０に含まれる各部品（例えば、後述するセル３０、ケース４０、カバー６０、タブブロック７０、電極部材８０）等を示す図では、収納箱１１に収容された蓄電素子モジュール２０に組み込まれた状態での方向および向きを示している。
【００２７】
図示された例において、第１方向ＤＡ、第２方向ＤＢ及び第３方向ＤＣは、互いに垂直な関係にある。また、第１方向ＤＡは鉛直方向と平行になっている。第１方向ＤＡにおける一側ＳＡ１は、鉛直方向における下側となり、第１方向ＤＡにおける一側とは反対側となる他側は、鉛直方向における上側となり、
【００２８】
蓄電素子モジュール２０は、多数のセル３０と、セル３０を収容する収容体１８と、を含んでいる。セル３０は、蓄電素子として取り扱われる最小単位である。セル３０は、種々の型式を採用することができ、例えばリチウムイオン二次電池とすることができる。図８は、一つの蓄電素子モジュール２０に含まれる複数のセル３０を示しており、図９は、一つのセル３０を示している。一つの蓄電素子モジュール２０に含まれる複数のセル３０は、互いに同一の構成を有していても良いし、或いは、互いに異なる構成を有していてもよい。
【００２９】
図８及び図９に示すように、セル３０は、偏平形状を有している。セル３０は、平面視において（第１方向ＤＡからの観察において）、略矩形形状を有している。セル３０は、第２方向ＤＢに短手方向を有し、第３方向ＤＣに長手方向を有している。複数のセル３０は、積層方向に積層されている。図示された例において、セル３０の積層方向は、第１方向ＤＡと平行になっている。セル３０は、中央に位置する中央部３１Ｃと、中央部３１Ｃを取り囲む周縁部３１Ｅと、を有している。中央部３１Ｃの厚みは、周縁部３１Ｅの厚みよりも厚くなっている。図示された例において、セル３０は、中央部３１Ｃにおいて、第１方向ＤＡにおけるいずれか一方の側に向けて膨出している。複数のセル３０は、中央部３１Ｃが少なくとも部分的に互いに第１方向ＤＡに対面するよう、積層されている。図９に示されたセル３０は、正極板および負極板を含む複数の電極板３２と、複数の電極板３２を収容する外装体３３と、電極板３２と電気的に接続して外装体３３の外部まで延び出したタブ３５と、を有している。セル３０は、一対のタブ３５を有している。一対のタブ３５は、それぞれ正極端子または負極端子として機能する。なお、図示されたタブ３５は、外装体３３から延び出した基端部３５Ａと、基端部３５Ａに対して屈曲した先端部３５Ｂと、を有している。
【００３０】
セル３０は、第２方向ＤＢにおける中心を通過する第１方向ＤＡ及び第３方向ＤＣに沿った面を基準面として概ね対称的な構成を有している。また、セル３０は、第３方向ＤＣにおける中心を通過する第１方向ＤＡ及び第２方向ＤＢに沿った面を基準面として概ね対称的な構成を有している。
【００３１】
一つの蓄電素子モジュール２０に含まれる多数のセル３０は、直列接続または並列接続により、互いに電気的に接続している。セル３０の数量や接続を直列と並列で適宜設定することで、一つのセル３０からの出力を、所望の電圧および所望の容量とすることができる。図示された例では、一つのセル３０が１６個のセル３０を含んでいる。とりわけ図１０に示された例において、並列接続された二つのセル３０が、９組直列接続されている。
【００３２】
図１０に示す例において、外装体３３は、第１外装材３４Ａ及び第２外装材３４Ｂを有している。第１外装材３４Ａ及び第２外装材３４Ｂは、周状の縁部において互いに接続、例えば熱溶着されている。第１外装材３４Ａは、膨出部３４ＡＰを有している。第１外装材３４Ａ及び第２外装材３４Ｂは、第１外装材３４Ａの膨出部３４ＡＰの内部に電極板３２を収容する空間を形成している。また、膨出部３４ＡＰは、セル３０の中央部３１Ｃを画成している。その一方で、第２外装材３４Ｂは、平坦な板状に形成されている。タブ３５は、第１外装材３４Ａ及び第２外装材３４Ｂの間を通過して、外装体３３の外部まで延び出ている。外装体３３は、平面視において（第１方向ＤＡからの観察において）、略矩形形状を有している。外装体３３は、第２方向ＤＢに短手方向を有し、第３方向ＤＣに長手方向を有している。
【００３３】
第１外装材３４Ａは、例えば、エンボス加工によって、膨出部３４ＡＰを形成される。一般的に、第１外装材３４Ａ及び第２外装材３４Ｂは、金属層と、金属層の内側に積層された内側層と、を有している。内側層は、絶縁性を有した層であって、好ましくは熱可塑性を有している。熱可塑性を有した内側層が互いに対面するようにして積層された第１外装材３４Ａ及び第２外装材３４Ｂを加熱および加圧することで、第１外装材３４Ａ及び第２外装材３４Ｂを周縁部３１Ｅにおいて熱溶着することができる。また、第１外装材３４Ａ及び第２外装材３４Ｂが金属層を含むことで、外装体３３に剛性を付与することができる。その一方で、金属層を含む外装体３３に、他のセル３０のタブ３５が接触することで、意図しない短絡等が生じ得る。ただし、本実施の形態においては、このような短絡が生じさせないための工夫が成されている。具体的には、後述するタブブロック７０及び電極部材８０が設けられている。
【００３４】
図１０に示された例において、第１外装材３４Ａが第１方向（積層方向）ＤＡにおける一側ＳＡ１を向き第２外装材３４Ｂが第１方向（積層方向）ＤＡにおける他側を向くセルと、第２外装材３４Ｂが第１方向ＤＡにおける一側ＳＡ１を向き第１外装材３４Ａが第１方向ＤＡにおける他側を向くセルとが第１方向（積層方向）ＤＡに交互に配置されている。図示された蓄電素子モジュール２０は、第１方向ＤＡにおける他側から順に配置された第１セル３０Ａ〜第１６セル３０Ｐを含んでいる。
【００３５】
第１方向ＤＡに隣り合い且つ第２外装材３４Ｂが第１方向ＤＡに対面する二つのセル３０は、正極端子をなすタブ３５同士が第１方向ＤＡに対面し且つ負極端子をなすタブ３５同士が第１方向ＤＡに対面するようにして、配置されている。具体的には、第１セル３０Ａ及び第２セル３０Ｂが互いの第２外装材３４Ｂ及びタブ３５が対面するようにして積層されている。同様に、第３セル３０Ｃ及び第４セル３０Ｄが互いの第２外装材３４Ｂ及びタブ３５が対面するようにして積層されている。第５セル３０Ｅ及び第６セル３０Ｆが互いの第２外装材３４Ｂ及びタブ３５が対面するようにして積層されている。第７セル３０Ｇ及び第８セル３０Ｈが互いの第２外装材３４Ｂ及びタブ３５が対面するようにして積層されている。第９セル３０Ｉ及び第１０セル３０Ｊが互いの第２外装材３４Ｂ及びタブ３５が対面するようにして積層されている。第１１セル３０Ｋ及び第１２セル３０Ｌが互いの第２外装材３４Ｂ及びタブ３５が対面するようにして積層されている。第１３セル３０Ｍ及び第１４セル３０Ｎが互いの第２外装材３４Ｂ及びタブ３５が対面するようにして積層されている。第１５セル３０Ｏ及び第１６セル３０Ｐが互いの第２外装材３４Ｂ及びタブ３５が対面するようにして積層されている。そして、これらの第１方向ＤＡに隣り合い且つ第２外装材３４Ｂが第１方向ＤＡに対面する二つのセル３０において、正極端子をなすタブ３５同士が電気的に接続し、負極端子をなすタブ３５同士が電気的に接続している。
【００３６】
さらに、第１及び第２セル３０Ａ，３０Ｂの負極端子をなすタブ３５が第３及び第４セル３０Ｃ，３０Ｄの正極端子をなすタブ３５と電気的に接続されている。第３及び第４セル３０Ｃ，３０Ｄの負極端子をなすタブ３５が第５及び第６セル３０Ｅ，３０Ｆの正極端子をなすタブ３５と電気的に接続されている。第５及び第６セル３０Ｅ，３０Ｆの負極端子をなすタブ３５が第７及び第８セル３０Ｇ，３０Ｈの正極端子をなすタブ３５と電気的に接続されている。第７及び第８セル３０Ｇ，３０Ｈの負極端子をなすタブ３５が第９及び第１０セル３０Ｉ，３０Ｊの正極端子をなすタブ３５と電気的に接続されている。第９及び第１０セル３０Ｉ，３０Ｊの負極端子をなすタブ３５が第１１及び第１２セル３０Ｋ，３０Ｌの正極端子をなすタブ３５と電気的に接続されている。第１１及び第１２セル３０Ｋ，３０Ｌの負極端子をなすタブ３５が第１３及び第１４セル３０Ｍ，３０Ｎの正極端子をなすタブ３５と電気的に接続されている。第１３及び第１４セル３０Ｍ，３０Ｎの負極端子をなすタブ３５が第１５及び第１６セル３０Ｏ，３０Ｐの正極端子をなすタブ３５と電気的に接続されている。
【００３７】
このような複数のセル３０においては、タブ３５が互いに屈曲した基端部３５Ａ及び先端部３５Ｂを含むことで、第２外装材３４Ｂが対面するようにして第１方向ＤＡに積層された二つのセル３０の相対位置のずれを効果的に抑制することができる。これにより、蓄電素子モジュール２０の耐震性を効果的に向上させることができる。
【００３８】
蓄電素子モジュール２０の具体的な構成について更に詳述する。
【００３９】
図１１〜図１３に示すように、蓄電素子モジュール２０は、複数のセルを収容するための収容体１８として、ケース４０及びカバー６０を有している。カバー６０は、ケース４０に取り外し可能となっている。また、蓄電素子モジュール２０は、ケース４０に保持されたタブブロック７０及び電極部材８０と、ケース４０に固定された第１端部カバー２１及び第２端部カバー２２と、を有している。なお、図示された例において、複数のセル３０を収容する蓄電素子モジュール２０の収容体１８は、主たる構成要素として、第１端部カバー２１、第２端部カバー２２、ケース４０、カバー６０、タブブロック７０及び電極部材８０を含んでいる。
【００４０】
ここで、図１１は、カバー６０をケース４０から取り外した状態で蓄電素子モジュール２０を示す斜視図であり、図１２は、蓄電素子モジュール２０の主たる構成を模式的に示す側面図である。また、図１３は、第１端部カバー２１及びカバー６０を取り外した状態で、蓄電素子モジュール２０の第１端部カバー２１及びカバー６０によって覆われる部分を示す斜視図である。また、図１４は、ケース４０を示す斜視図であり、図１５は、ケース４０を拡大して示す斜視図である。
【００４１】
複数のセル３０を収容するケース４０は、全体的な構成として、第１方向ＤＡにおける一側ＳＡ１から複数のセル３０を支持する底部４２と、底部４２から第１方向ＤＡに立ち上がった側壁部４４と、を有している。ケース４０は、第１方向ＤＡにおける他側に開口している。すなわち、ケース４０は、底部４２に対面する位置に開口部４０ａを有している。側壁部４４は、第２方向ＤＢ及び第３方向ＤＣからセル３０を取り囲む。より正確には、側壁部４４は、第２方向ＤＢ及び第３方向ＤＣからセル３０の外装体３３を取り囲んでいる。側壁部４４は、第１方向ＤＡからの観察によって、セル３０の外装体３３の外縁に沿って延びている。側壁部４４には切欠Ｃが設けられている。切欠Ｃは、側壁部４４のうちの第２方向ＤＢに沿って延びる切欠形成壁部４５に設けられている。そして、タブ３５は切欠Ｃ内に延び入っている。切欠Ｃ及び切欠Ｃに関連した側壁部４４については、タブブロック７０及び電極部材８０とともに後述する。
【００４２】
側壁部４４は、第１方向ＤＡに直行する方向、例えば第２方向ＤＢや第３方向ＤＣからセル３０に対面している。側壁部４４は、第１方向ＤＡに直行する方向、例えば第２方向ＤＢや第３方向ＤＣに沿った、セル３０のケース４０に対する相対移動を規制する。これにより、複数のセル３０を安定してケース４０内に保持することができる。一方、ケース４０は、第１方向ＤＡに開口部４０ａを有しており、第１方向ＤＡへのセル３０のケース４０に対する相対移動を許容する。
【００４３】
カバー６０は、第１方向ＤＡに移動可能にケース４０に保持されて、ケース４０の開口部４０ａを覆う。カバー６０は、ケース４０に収容されたセル３０を第１方向ＤＡにおける他側から覆う。カバー６０は、セル３０を保護し、また第１方向ＤＡにおける他側へのセル３０のケース４０に対する自由な相対移動を規制する。
【００４４】
図１１に示すように、カバー６０は、カバー本体６１及びカバー本体６１から延び出した固定部６２と、を有している。固定部６２は、ケース４０の側壁部４４に設けられた受け部４９と係合可能となっている。固定部６２が受け部４９と係合することで、カバー６０がケース４０によって保持される。図示された例において、固定部６２は、第１方向ＤＡに移動可能に受け部４９と係合する。
【００４５】
図１１に示すように、カバー６０は、第２方向ＤＢに離間した位置のそれぞれに固定部６２を有している。また、カバー６０は、第３方向ＤＣに離間した位置のそれぞれに固定部６２を有している。複数の固定部６２は、第１方向ＤＡに沿って側壁部４４に対面する位置に設けられている。図示された例において、側壁部４４の第３方向ＤＣに延びる部分のそれぞれに、四つの固定部６２が離間して設けられている。したがって、図示された例において、八つの固定部６２が一つのカバー６０に設けられている。
【００４６】
図１１や、第１方向ＤＡ及び第２方向ＤＢに沿った断面図である図１６に示すように、固定部６２は、カバー本体６１から第１方向ＤＡに延び出した延出部６２ａと、延出部６２ａから第２方向ＤＢに突出した爪部（挿入部）６２ｂと、を有している。固定部６２は、例えば樹脂成形物としてカバー本体６１と一体的に成形され、弾性変形可能となっている。とりわけ図示された延出部６２ａは、第１方向ＤＡに沿った長辺と第３方向ＤＣに沿った短辺とを有する板状部として形成されており、第３方向ＤＣに沿った軸線を中心として撓み変形（曲げ変形）し易くなっている。
【００４７】
一方、受け部４９は、側壁部４４に設けられた穴４９ａとなっている。受け部４９をなす穴４９ａは、爪部（挿入部）６２ｂの第３方向ＤＣに沿った幅より若干広い幅を有している（図１１参照）。また、図１６に示すように、受け部４９をなす穴４９ａは、第１方向ＤＡに沿って或る程度の長さを有している。受け部４９をなす穴４９ａは、各固定部６２に対応して設けられている。すなわち、受け部４９は、側壁部４４の第３方向ＤＣに延びる部分の各々に、第３方向ＤＣに離間して四つ設けられている。したがって、側壁部４４には、合計で八つの受け部４９が設けられている。
【００４８】
なお、図示された側壁部４４は、第１方向ＤＡにおける他側となる領域において、二重壁構造を有している。図１３や図１６において確認できるように、側壁部４４は、第１方向ＤＡに沿って底部４２から延び出した主壁部４４ａと、第２方向ＤＢにおける外側、つまり第２方向ＤＢにおいてセル３０を収容する空間から離間する側に主壁部４４ａから延び出した外壁部４４ｂと、を含んでいる。外壁部４４ｂは、第１方向ＤＡにおける他側となる領域のみに設けられている。図１６に示すように、主壁部４４ａ及び外壁部４４ｂの間の空間は、第１方向ＤＡにおける他側に開口している。そして、受け部４９をなす穴４９ａは、側壁部４４の外壁部４４ｂに設けられている。
【００４９】
なお、主壁部４４ａの高さは、外壁部４４ｂの高さよりも低くなっている。言い換えると、主壁部４４ａの第１方向ＤＡにおける最も他側となる位置は、外壁部４４ｂの第１方向ＤＡにおける最も他側となる位置よりも、第１方向ＤＡにおいて他側に位置している。主壁部４４ａの高さは、カバー本体６１の厚みよりも長い長さだけ、外壁部４４ｂの高さよりも低くなっている。このような構成によれば、後述するように、カバー６０のカバー本体６１が隣に位置する蓄電素子モジュール２０と接触することを回避することが可能となる。
【００５０】
固定部６２の延出部６２ａを湾曲させて撓ませることで、爪部（挿入部）６２ｂを受け部４９内に挿入することができる。これにより、カバー６０は、ケース４０によって保持される。そして、図１６に点線で示すように、爪部（挿入部）６２ｂが穴４９ａ内で第１方向ＤＡに移動することで、ケース４０に保持されたカバー６０が、ケース４０に対して第１方向ＤＡに移動することができる。
【００５１】
なお、穴４９ａから爪部６２ｂを押す等して延出部６２ａを撓ませることで、カバー６０をケース４０から取り外すことができる。なお、穴４９ａが設けられた主壁部４４ａの第２方向ＤＢにおける内側には、すなわち第２方向ＤＢにおけるセル３０を収容する空間側には、主壁部４４ａが設けられている。この主壁部４４ａが介在することで、延出部６２ａが撓んだ際に、固定部６２がセル３０に接触することを効果的に防止することができる。したがって、カバー６０をケース４０から取り外す際に、固定部６２でセル３０を損傷させてしまうことを効果的に回避することができる。
【００５２】
ケース４０に取り付けられたカバー６０がケース４０に対して第１方向ＤＡに移動可能とすることで、セル３０の厚みのばらつきを吸収することができる。すなわち、スペーサー等で間隔を調整することなく、複数のセル３０をそのまま積層してケース４０内に収納し、カバー６０をケース４０に取り付けることができる。したがって、セル３０をケース４０及びカバー６０によって安定して保持及び保護しながら蓄電素子モジュール２０の厚みを薄くすることができる。また、スペーサー等で間隔を調整する必要がないので、蓄電素子モジュール２０の部品点数を削減して構造を簡易化することができる。したがって、蓄電素子モジュール２０や蓄電素子ユニット１０の製造コストを削減し且つ生産性を向上させることができる。
【００５３】
図示された例とは異なり、カバー６０が受け部４９をなす穴４９ａを有し、ケース４０が穴４９ａ内に挿入され且つ穴４９ａ内で第１方向ＤＡに移動可能な爪部（挿入部）６２ｂを有するようにしてもよい。この例によっても、簡易な構造により、カバー６０のケース４０に対する第１方向ＤＡへの移動を可能にすることができる。
【００５４】
なお、第１方向ＤＡに隣り合うセル３０が、接合層３８を介して互いに固定されていてもよい（図１２参照）。この例によれば、接合層３８を用いることで複数のセル３０を安定してケース４０内に保持することができる。また、セル３０の厚みに応じて接合層３８の厚みを変更することで、スペーサー等で間隔を調整することなく、セル３０の厚みばらつきを効果的に吸収することができる。これにより、汎用性を有した一定の収容体１８に複数のセル３０を安定して収容することができる。
【００５５】
また、図示された例において、受け部４９は穴４９ａとして構成されている。したがって、爪部（挿入部）６２ｂは、穴４９ａ内でしか移動することができない。すなわち、ケース４０に保持されたカバー６０のケース４０に対する第１方向ＤＡへの移動が一定の範囲内に規制される。このため、カバー６０がケース４０から外れてしまうことを防止することができる。
【００５６】
さらに、図１６に示すように、複数の蓄電素子モジュール２０を含む蓄電素子モジュール組合体１５において、第１の蓄電素子モジュール２０Ａの側壁部４４が、第１方向ＤＡにおける一側から、第２の蓄電素子モジュール２０Ｂのケース４０に接触することで、第１の蓄電素子モジュール２０Ａ及び第２の蓄電素子モジュール２０Ｂが積み重ねられている。第１の蓄電素子モジュール２０Ａ及び第２の蓄電素子モジュール２０Ｂが積み重ねられた状態で、第１の蓄電素子モジュール２０Ａのカバー６０は、第２の蓄電素子モジュール２０Ｂから離間している。つまり、第１の蓄電素子モジュール２０Ａ上に積み重ねられた第２の蓄電素子モジュール２０Ｂは、第１の蓄電素子モジュール２０Ａの側壁部４４上に支持されて、カバー６０から離間している。したがって、第２の蓄電素子モジュール２０Ｂが、第１の蓄電素子モジュール２０Ａの複数のセル３０を、カバー６０を介して、押圧することを効果的に回避することができる。これにより、複数の蓄電素子モジュール２０をコンパクトな空間に配置しながら、蓄電素子モジュール２０のセル３０の損傷を効果的に回避することができる。
【００５７】
とりわけ、図１６には、第１の蓄電素子モジュール２０Ａのカバー６０は、第２の蓄電素子モジュール２０Ｂから離間した状態に維持される範囲内で、ケース４０に対して移動可能となっている。このような例によれば、第２の蓄電素子モジュール２０Ｂが、第１の蓄電素子モジュール２０Ａの複数のセル３０を、カバー６０を介して、押圧することをより効果的に回避することができる。
【００５８】
カバー６０は、例えば絶縁性の材料を用いて形成される。カバー６０は、全体として、絶縁性の樹脂から一体的に成形され得る。同様に、ケース４０も、例えば絶縁性の材料を用いて形成される。ケース４０は、後述する部分も含めた全体として、絶縁性の樹脂から一体的に成形され得る。
【００５９】
次に、第１の蓄電素子モジュール２０Ａ及び第２の蓄電素子モジュール２０Ｂを積み重ねるためのケース４０の構成について更に詳述する。
【００６０】
第１方向ＤＡ及び第２方向ＤＢに沿った断面図である図１６に示すように、複数の蓄電素子モジュール２０を含む蓄電素子モジュール組合体１５において、第１の蓄電素子モジュール２０Ａの側壁部４４が、第１方向ＤＡにおける一側から、第２の蓄電素子モジュール２０Ｂのケース４０に接触することで、第１の蓄電素子モジュール２０Ａ及び第２の蓄電素子モジュール２０Ｂが積み重ねられている。例えば図１４及び図１５に示すように、蓄電素子モジュール２０は、セル３０の短手方向である第２方向ＤＢに離間して設けられ且つ第１方向ＤＡにおける他側に突出した第１突出部５１及び第２突出部５２を有している。そして、図１７に示すように、第１の蓄電素子モジュール２０Ａは、第１突出部５１及び第２突出部５２を介して第２の蓄電素子モジュール２０Ｂに接触する。
【００６１】
図１７に示すように、第２の蓄電素子モジュール２０Ｂが第１の蓄電素子モジュール２０Ａの第１突出部５１上及び第２突出部５２上に支持される。そして、図１７や、図４および図５に示すように、第２方向ＤＢにおける第１突出部５１及び第２突出部５２の間となる領域において、第１の蓄電素子モジュール２０Ａ及び第２の蓄電素子モジュール２０Ｂを互いから第１方向ＤＡに離間させることが可能となる。
【００６２】
各蓄電素子モジュール２０は、積層された多数のセル３０を含んでいる。各セル３０は充放電時に昇温する。ただし、各蓄電素子モジュール２０では、偏平形状のセルが高密度で積層されている。このため、各蓄電素子モジュール２０から熱を効率的に放出することができない。すなわち、蓄電素子モジュール２０の内部において、著しい温度上昇が生じる可能性がある。セル３０が高温に保持されると、蓄電素子モジュール２０を有効に機能させることが難しくなる。また、蓄電素子モジュール２０の誤動作等に可能性も生じる。
【００６３】
その一方で、本実施の形態では、第１の蓄電素子モジュール２０Ａ及び第２の蓄電素子モジュール２０Ｂが、第２方向ＤＢにおける第１突出部５１及び第２突出部５２の間において、第１方向ＤＡに離間している。すなわち、この第１の蓄電素子モジュール２０Ａ及び第２の蓄電素子モジュール２０Ｂの間の空隙Ｖとしての空間に、送風することで、第１の蓄電素子モジュール及び第２の蓄電素子モジュールからの放熱を効果的に促進することができる。或いは、第１の蓄電素子モジュール２０Ａ及び第２の蓄電素子モジュール２０Ｂの間の空間に、図５に示すように伝熱部材２５等を配置することで、第１の蓄電素子モジュール２０Ａ及び第２の蓄電素子モジュール２０Ｂに熱が溜まってしまうことを効果的に回避することができる。つまり、蓄電素子モジュール組合体１５に含まれる蓄電素子モジュール２０からの放熱を効果的に促進することができる。結果として、蓄電素子モジュール２０の温度上昇を抑制して、蓄電素子モジュール２０を有効に機能させることが可能となる。
【００６４】
なお、伝熱部材２５としては、熱伝導率の高い材料からなる部材を用いることができる。好ましくは、伝熱部材２５の材料として、ケース４０をなす材料よりも高い熱伝導率を有した材料が用いられる。より具体的には、伝熱部材２５として、十分な熱容量を有した金属板、例えばアルミ製またはアルミ合金製の板材を用いることができる。
【００６５】
なお、図示された例において、第１の蓄電素子モジュール２０Ａが第２の蓄電素子モジュール２０Ｂに対して鉛直方向における下側に位置して、第１突出部５１及び第２突出部５２が鉛直方向における上側に突出しているが、この例に限られない。第１の蓄電素子モジュール２０Ａが第２の蓄電素子モジュール２０Ｂに対して鉛直方向における上側に位置して、第１突出部５１及び第２突出部５２が鉛直方向における下側に突出していても、同様の作用効果を期待することができる。
【００６６】
第１突出部５１及び第２突出部５２は、それぞれ、第３方向ＤＣに或る程度の長さを有している。言い換えると、第１突出部５１及び第２突出部５２は、それぞれ、第３方向ＤＣに或る程度の幅を有している。例えば、第１突出部５１及び第２突出部５２は、第３方向ＤＣに長く延びていてもよいし、或いは、第３方向ＤＣに連続的に配置された部分の集まりであってもよい。このような、第１突出部５１及び第２突出部５２によれば、第１の蓄電素子モジュール２０Ａ及び第２の蓄電素子モジュール２０Ｂを積み重ねた状態に安定して維持することができる。これにより、蓄電素子ユニット１０及び蓄電素子モジュール２０の耐振動性を向上させることができる。
【００６７】
とりわけ図示された例において、各第１突出部５１の第２方向ＤＢに沿った幅は、当該第１突出部５１の第３方向ＤＣに沿った幅よりも短い。また、各第２突出部５２の第２方向ＤＢに沿った幅は、当該第２突出部５２の第３方向ＤＣに沿った幅よりも短い。このような例によれば、第１突出部５１と第２突出部５２との間に十分な空間を確保して放熱を安定して促進しながら、第１の蓄電素子モジュール２０Ａ及び第２の蓄電素子モジュール２０Ｂを積み重ねた状態に安定して維持することができる。
【００６８】
図示された例において、セル３０の長手方向である第３方向ＤＣに配列された複数の第１突出部５１が設けられている。また、セル３０の長手方向である第３方向ＤＣに配列された複数の第２突出部５２が設けられている。このような例によれば、第１の蓄電素子モジュール２０Ａ及び第２の蓄電素子モジュール２０Ｂを積み重ねた状態に安定して維持することができる。これにより、蓄電素子モジュール組合体１５及び蓄電素子ユニット１０の耐振動性を向上させることができる。なお、図示された例において、四つの第１突出部５１が設けられ、四つの第２突出部５２が設けられている。
【００６９】
また、図示された例において、第１突出部５１及び第２突出部５２は、ケース４０に設けられている。より具体的には、第１突出部５１及び第２突出部５２は、ケース４０の側壁部４４に設けられている。このため、図１６に示すように、第１の蓄電素子モジュール２０Ａのカバー６０から第２の蓄電素子モジュール２０Ｂを離間させることができる。この例によれば、上述したように、第２の蓄電素子モジュール２０Ｂが、第１の蓄電素子モジュール２０Ａの複数のセル３０を、カバー６０を介して、押圧することを効果的に回避することができる。これにより、蓄電素子モジュール２０のセル３０の損傷を効果的に回避することができる。
【００７０】
具体的な構成として、第１突出部５１は、第２方向ＤＢにおける一側ＳＢ１に位置している。第２突出部５２は、第２方向ＤＢにおける他側に位置している。第１突出部５１は、側壁部４４から第１方向ＤＡにおける他側に突出した突出部支持部５１ａを有している。突出部支持部５１ａは、第１方向ＤＡに隣り合う蓄電素子モジュール２０に接触して、当該蓄電素子モジュール２０を第１方向ＤＡにおける一側ＳＡ１から支持する。同様に、第２突出部５２は、側壁部４４から第１方向ＤＡにおける他側に突出した突出部支持部５２ａを有している。突出部支持部５２ａは、第１方向ＤＡに隣り合う蓄電素子モジュール２０に接触して、当該蓄電素子モジュール２０を第１方向ＤＡにおける一側ＳＡ１から支持する。
【００７１】
図示された例において、突出部支持部５１ａ及び突出部支持部５２ａは、底部４２から第１方向ＤＡにおける他側へ延び上がる複数の内リブ５３を有している。内リブ５３は、側壁部４４を越えて第１方向ＤＡにおける他側へ延び出している。一つの突出部支持部５１ａをなす複数の内リブ５３は、第３方向ＤＣに間隔を開けて複数設けられている。各内リブ５３は、第１方向ＤＡ及び第２方向ＤＢに広がる板状部となっている。内リブ５３は、ケース４０を補強する機能を有している。
【００７２】
また、第１突出部５１は、突出部支持部５１ａに接続したガイド部５１ｂを更に有している。ガイド部５１ｂは、隣に位置する蓄電素子モジュール２０の突出部支持部５１ａ上に載置された部分と接触して、第１方向ＤＡに積み重ねられた二つの蓄電素子モジュール２０の第１方向ＤＡと非平行な方向への相対移動、とりわけ第１方向ＤＡに直交する第２方向ＤＢや第３方向ＤＣへの相対移動を規制する。具体的な構成として、ガイド部５１ｂは、突出部支持部５１ａ上となる空間、言い換えると突出部支持部５１ａの第１方向ＤＡにおける他側となる空間を、第１方向ＤＡに直交するいずれかの方向から囲んでいる。図示された例において、ガイド部５１ｂは、突出部支持部５１ａ上となる空間を三方から取り囲んでいる。より具体的には、ガイド部５１ｂは、突出部支持部５１ａ上となる空間を第２方向ＤＢにおける一側ＳＢ１と第３方向ＤＣにおける両側とから囲んでいる。
【００７３】
同様に、第２突出部５２は、突出部支持部５２ａに接続したガイド部５２ｂを更に有している。ガイド部５２ｂは、隣に位置する蓄電素子モジュール２０の突出部支持部５２ａ上に載置された部分と接触して、第１方向ＤＡに積み重ねられた二つの蓄電素子モジュール２０の第１方向ＤＡと非平行な方向への相対移動、とりわけ第１方向ＤＡに直交する第２方向ＤＢや第３方向ＤＣへの相対移動を規制する。具体的な構成として、ガイド部５２ｂは、突出部支持部５２ａ上となる空間、言い換えると突出部支持部５２ａの第１方向ＤＡにおける他側となる空間を、第１方向ＤＡに直交するいずれかの方向から囲んでいる。図示された例において、ガイド部５２ｂは、突出部支持部５２ａ上となる空間を三方から取り囲んでいる。より具体的には、ガイド部５２ｂは、突出部支持部５２ａ上となる空間を第２方向ＤＢにおける他側と第３方向ＤＣにおける両側とから囲んでいる。
【００７４】
このような第１突出部５１及び第２突出部５２を有する第１の蓄電素子モジュール２０Ａに対して第１方向ＤＡにおける他側から接触する第２の蓄電素子モジュール２０Ｂは、第１突出部５１と接触する第１係合部５６と、第２突出部５２と接触する第２係合部５７と、を有している。第１突出部５１と第１係合部５６とが接触することで、隣り合う二つの蓄電素子モジュール２０の第１方向ＤＡへの相対移動を規制するだけでなく、第１方向ＤＡと非平行な方向への相対移動も規制することができる。同様に、第２突出部５２と第２係合部５７とが接触することで、隣り合う二つの蓄電素子モジュール２０の第１方向ＤＡへの相対移動を規制するだけでなく、第１方向ＤＡと非平行な方向への相対移動も規制することができる。このような構成によれば、第１の蓄電素子モジュール２０Ａ及び第２の蓄電素子モジュール２０Ｂを積み重ねた状態に安定して維持して、第１の蓄電素子モジュール２０Ａ及び第２の蓄電素子モジュール２０Ｂの相対移動を規制することができる。すなわち、蓄電素子モジュール組合体１５及び蓄電素子ユニット１０の耐震性を向上させることができる。なお、図示された例において、四つの第１係合部５６が設けられ、四つの第２係合部５７が設けられている。
【００７５】
図示された例において、第１係合部５６及び第２係合部５７は、側壁部４４の主壁部４４ａから第２方向ＤＢにおける外方に膨出した膨出規制部５８を有している。膨出規制部５８は、第１方向ＤＡにおいて、底部４２に接続する位置から側壁部４４の外壁部４４ｂに接続する位置まで第１方向ＤＡに延びている。図１４から理解されるように、膨出規制部５８内には、内リブ５３が配置されている。第１係合部５６をなす膨出規制部５８は、第２方向ＤＢにおける一側ＳＢ１に向けて主壁部４４ａから膨出している。第２係合部５７をなす膨出規制部５８は、第２方向ＤＢにおける他側に向けて主壁部４４ａから膨出している。
【００７６】
図示された例において、第１突出部５１の突出部支持部５１ａ上に載置された第１係合部５６をなす膨出規制部５８は、突出部支持部５１ａに接続したガイド部５１ｂによって、三方から取り囲まれる。より具体的には、膨出規制部５８は、ガイド部５１ｂによって第２方向ＤＢにおける一側ＳＢ１と第３方向ＤＣにおける両側とから囲まれる。したがって、第１係合部５６は、第２方向ＤＢにおける一側ＳＢ１への第１突出部５１に対する相対移動を規制され且つ第３方向ＤＣへの第１突出部５１に対する相対移動を規制される。同様に、第２突出部５２の突出部支持部５２ａ上に載置された第２係合部５７をなす膨出規制部５８は、突出部支持部５２ａに接続したガイド部５２ｂによって、三方から取り囲まれる。より具体的には、膨出規制部５８は、ガイド部５２ｂによって第２方向ＤＢにおける他側と第３方向ＤＣにおける両側とから囲まれる。したがって、第２係合部５７は、第２方向ＤＢにおける一側ＳＢ１への第２突出部５２に対する相対移動を規制され且つ第３方向ＤＣへの第２突出部５２に対する相対移動を規制される。このような蓄電素子モジュール組合体１５及び蓄電素子ユニット１０によれば、第１の蓄電素子モジュール２０Ａ及び第２の蓄電素子モジュール２０Ｂを積み重ねた状態に安定して維持して、第１の蓄電素子モジュール２０Ａ及び第２の蓄電素子モジュール２０Ｂの第２方向ＤＢ及び第３方向ＤＣへの相対移動を効果的に規制することができる。
【００７７】
なお、既に説明したように、第１方向ＤＡにおける第１の蓄電素子モジュール２０Ａ及び第２の蓄電素子モジュール２０Ｂの間となる領域であって且つ第２方向ＤＢにおける第１突出部５１及び第２突出部５２の間となる領域に、伝熱部材２５を設けてもよい。伝熱部材２５を設けることで、第１の蓄電素子モジュール２０Ａ及び第２の蓄電素子モジュール２０Ｂからの放熱を効果的に促進することができる。すなわち、蓄電素子モジュール２０の温度上昇を抑制して、蓄電素子モジュール２０を有効に機能させることができる。
【００７８】
また、第１方向ＤＡにおける第１の蓄電素子モジュール２０Ａ及び第２の蓄電素子モジュール２０Ｂの間となる領域であって且つ第２方向ＤＢにおける第１突出部５１及び第２突出部５２の間となる領域を、空隙Ｖとしてもよい。このような構成によっても、第１の蓄電素子モジュール２０Ａ及び第２の蓄電素子モジュール２０Ｂからの放熱を効果的に促進することができる。すなわち、蓄電素子モジュール２０の温度上昇を抑制して、蓄電素子モジュール２０を有効に機能させることができる。
【００７９】
次に、ケース４０の側壁部４４に設けられた切欠Ｃ及び切欠Ｃに関連する側壁部４４の構成について説明し、その後、タブブロック７０及び電極部材８０についても説明する。
【００８０】
例えば図１４に示すように、側壁部４４には、一対の切欠Ｃが設けられている。各切欠Ｃは、側壁部４４のうちの第２方向ＤＢに沿って延びる切欠形成壁部４５に形成されている。切欠Ｃは、対応する切欠形成壁部４５のうちの第２方向ＤＢにおける中心となる位置に、設けられている。図１１や図１３に示すように、セル３０の一対のタブ３５は、ケース４０の内部空間から、切欠Ｃ内に延び入っている。なお、上述したセル３０の形状の対称性によってケース４０内におけるセル３０の配置によらず、一方のタブ３５が一方の切欠Ｃ内に入り、他方のタブ３５が他方の切欠Ｃ内に入る。より具体的には、セル３０の中央部３１Ｃが第１方向ＤＡの一側ＳＡ１及び他側のいずれに向けて突出するかによらず、また、セル３０の正極端子となるタブ３５が第２方向ＤＢにおける一側ＳＢ１及び他側のいずれに向けて延び出すかによらず、一方のタブ３５が一方の切欠Ｃ内に入り、他方のタブ３５が他方の切欠Ｃ内に入る。
【００８１】
図示された例において、側壁部４４は、切欠形成壁部４５に接続した切欠ガイド壁部４６を更に含んでいる。切欠ガイド壁部４６は、切欠形成壁部４５の切欠Ｃに隣接する位置から、第３方向ＤＣにおける外側に延び出している。言い換えると、切欠ガイド壁部４６は、ケース４０のセル３０を収容する空間から離間する側に延び出している。切欠ガイド壁部４６は、第３方向ＤＣに延びている。一つの切欠Ｃに対して、当該切欠Ｃを第２方向ＤＢにおける両側に切欠ガイド壁部４６が設けられている。したがって、各タブ３５は、一対の切欠ガイド壁部４６の間に配置され、切欠ガイド壁部４６に案内されて第３方向ＤＣに延びる。このような切欠ガイド壁部４６によれば、ケース４０にセル３０を安定して保持することが可能となる。とりわけ、端子として機能するタブ３５の位置が安定するので、蓄電素子モジュール２０及び蓄電素子ユニット１０の耐震性を効果的に向上させることができる。
【００８２】
図１５に示すように、各切欠ガイド壁部４６は、第１リブ４６ａ及び第２リブ４６ｂを有している。第１リブ４６ａ及び第２リブ４６ｂは、それぞれ、対応する切欠ガイド壁部４６の第２方向ＤＢにおける外側（第２方向ＤＢにおいてケース４０の中心から離間する側）の面に設けられている。第１リブ４６ａ及び第２リブ４６ｂは、それぞれ、対応する切欠ガイド壁部４６から第２方向ＤＢにおける外側に向けて突出している。第１リブ４６ａ及び第２リブ４６ｂは、第１方向ＤＡに延びている。図示された例において、第１リブ４６ａ及び第２リブ４６ｂは、切欠ガイド壁部４６の第１方向ＤＡに沿った全長に亘って延びている。第２リブ４６ｂは、第１リブ４６ａよりも第３方向ＤＣにおける外側（第３方向ＤＣにおいてケース４０の中心から離間する側、言い換えると第３方向ＤＣにおいてケース４０のセル３０を収容する空間から離間する側）に位置している。第１リブ４６ａは、第３方向ＤＣにおいて切欠ガイド壁部４６と第２リブ４６ｂとの間に位置している。
【００８３】
このようなリブ４６ａ，４６ｂによって、切欠ガイド壁部４６に第１凹部４８ａ及び第２凹部４８ｂが形成されている。第１凹部４８ａは、切欠ガイド壁部４６と第１リブ４６ａの間に形成されている。第２凹部４８ｂは、第１リブ４６ａ及び第２リブ４６ｂの間に形成されている。第１凹部４８ａ及び第２凹部４８ｂは、第２方向ＤＢにおける外側（第２方向ＤＢにおいてケース４０の中心から離間する側）に開口している。したがって、第１凹部４８ａ及び第２凹部４８ｂの開口部に対向して切欠ガイド壁部４６が位置している。第１凹部４８ａ及び第２凹部４８ｂは、第２方向ＤＢに沿って延びている。
【００８４】
また、図示された例において、第１凹部４８ａ及び第２凹部４８ｂは、切欠ガイド壁部４６の第１方向ＤＡに沿った全長に亘って延びている。そして、第１凹部４８ａ及び第２凹部４８ｂは、第１方向ＤＡにおける他側にも開口している。第１凹部４８ａ及び第２凹部４８ｂの第１方向ＤＡにおける他側への開口部に対向する位置に、底部４２が位置している。
【００８５】
次に、タブブロック７０について説明する。タブブロック７０は、セル３０の積層方向である第１方向ＤＡに隣り合う二つのセル３０のタブの間に配置される。タブブロック７０は、絶縁性の材料によって形成される。タブブロック７０は、例えば、樹脂成形物とすることができる。タブブロック７０は、第１方向ＤＡに隣り合って積層された二つのセル３０のタブ３５の間を絶縁する。また、以下に説明するタブブロック７０は、ケース４０に対してセル３０を位置決めする機能も有している。
【００８６】
図１０を参照して説明したように、図示された蓄電素子モジュール２０の一例において、第１セル３０Ａ〜第１６セル３０Ｐが、第１方向ＤＡに沿って積層されている。そして、第３方向ＤＣにおける一側ＳＣ１において、第２セル３０Ｂと第３セル３０Ｃとの間でタブ３５同士が絶縁され、第６セル３０Ｆと第７セル３０Ｇとの間でタブ３５同士が絶縁され、第１０セル３０Ｊと第１１セル３０Ｋとの間でタブ３５同士が絶縁され、第１４セル３０Ｎ及び第１５セル３０Ｏとの間でタブ３５同士が絶縁される。したがって、図１６に示すように、第３方向ＤＣにおける一側ＳＣ１において、第２セル３０Ｂと第３セル３０Ｃとの間、第６セル３０Ｆと第７セル３０Ｇとの間、第１０セル３０Ｊと第１１セル３０Ｋとの間、第１４セル３０Ｎ及び第１５セル３０Ｏとの間に、タブブロック７０が設けられている。
【００８７】
また、図示された例において、第３方向ＤＣにおける他側において、第４セル３０Ｄと第５セル３０Ｅとの間でタブ３５同士が絶縁され、第８セル３０Ｈと第９セル３０Ｉとの間でタブ３５同士が絶縁され、第１２セル３０Ｌと第１３セル３０Ｍとの間でタブ３５同士が絶縁される。したがって、図１６に示すように、第３方向ＤＣにおける他側において、第４セル３０Ｄと第５セル３０Ｅとの間、第８セル３０Ｈと第９セル３０Ｉとの間、第１０セル３０Ｊと第１１セル３０Ｋとの間、第１２セル３０Ｌと第１３セル３０Ｍとの間に、タブブロック７０が設けられている。
【００８８】
図１８に示された一具体例としてのタブブロック７０は、切欠Ｃに配置される絶縁ベース部７１と、絶縁ベース部７１に接続した内側部７２及び外側部７３と、外側部７３に接続した接続ガイド部７４と、を有している。絶縁ベース部７１は、第１方向ＤＡにおいて、積層されるべき二つのセル３０のタブ３５の間に位置する。図示された例において、絶縁ベース部７１は、側壁部４４の一対の切欠ガイド壁部４６の間に位置する。絶縁ベース部７１が切欠ガイド壁部４６に接触することで、絶縁ベース部７１がケース４０に対して
第２方向ＤＢに移動することが規制される。
【００８９】
内側部７２は、第３方向ＤＣにおける内側（第３方向ＤＣにおいてケース４０の中心に近接する側）から絶縁ベース部７１に接続している。内側部７２は、ケース４０に取り囲まれたセル３０を収容するための空間内、とりわけ外装体３３を収容するための空間内に位置する。内側部７２の第２方向ＤＢに沿った幅は、絶縁ベース部７１の第２方向ＤＢに沿った幅よりも広い。更に、内側部７２の第２方向ＤＢに沿った幅は、切欠Ｃの第２方向ＤＢに沿った幅よりも広い。とりわけ、内側部７２は、切欠ガイド壁部４６よりも第２方向ＤＢにおいて外側まで延びている。したがって、内側部７２が側壁部４４（とりわけ切欠ガイド壁部４６や切欠形成壁部４５）に接触することで、タブブロック７０がケース４０に対して第３方向ＤＣにおける外側に相対移動することを規制することができる。
【００９０】
外側部７３は、第３方向ＤＣにおける外側（第３方向ＤＣにおいてケース４０の中心から離間する側）から絶縁ベース部７１に接続している。外側部７３は、ケース４０に取り囲まれたセル３０を収容するための空間内に位置する。外側部７３の第２方向ＤＢに沿った幅は、絶縁ベース部７１の第２方向ＤＢに沿った幅よりも広い。更に、外側部７３の第２方向ＤＢに沿った幅は、切欠Ｃの第２方向ＤＢに沿った幅よりも広い。とりわけ、外側部７３は、切欠ガイド壁部４６よりも第２方向ＤＢにおいて外側まで延びている。したがって、外側部７３が側壁部４４（とりわけ切欠ガイド壁部４６）に接触することで、タブブロック７０がケース４０に対して第３方向ＤＣにおける内側に相対移動することを規制することができる。
【００９１】
なお、図示された例において、外側部７３の第１方向ＤＡに沿った厚みは、絶縁ベース部７１の第１方向ＤＡに沿った厚みよりも薄くなっている。同様に、外側部７３の第１方向ＤＡに沿った厚みは、内側部７２の第１方向ＤＡに沿った厚みよりも薄くなっている。一方、図９及び図１０を参照して説明したように、図示されたタブ３５は、外装体３３から第１方向ＤＡにおける外側に延び出した基端部３５Ａと、基端部３５Ａに対して屈曲した先端部３５Ｂと、を有している。先端部３５Ｂは、第１方向ＤＡに延びている。厚みの薄くなった外側部７３は、先端部３５Ｂに第１方向ＤＡから対面する位置に配置されている。この結果、第１方向ＤＡに沿った隙間が狭くなったタブ３５の先端部３５Ｂの間を、タブブロック７０が通過することができる。二つのタブ３５を絶縁する観点から、外側部７３も絶縁性を有していることが好ましい。
【００９２】
接続ガイド部７４は、各タブブロック７０に一対設けられている。接続ガイド部７４は、第２方向ＤＢにおける両外側から切欠ガイド壁部４６に対面する位置に配置される。すなわち、各接続ガイド部７４と絶縁ベース部７１との間に、当該接続ガイド部７４に対応する側の切欠ガイド壁部４６が位置するようになる。各接続ガイド部７４は、接続突出片７５を有している。接続突出片７５は、第１方向ＤＡ及び第２方向ＤＢに広がる板状部となっている。
【００９３】
各接続突出片７５は、第２方向ＤＢにおける内側に向けて、すなわち切欠ガイド壁部４６に向けて突出している。図２０に示すように、接続突出片７５は、切欠形成壁部４５と第１リブ４６ａとの間に形成された溝状の第１凹部４８ａに挿入される。ここで、図２０は、セル３０を取り除いて、一つのタブブロック７０及びタブブロック７０上に設けられた電極部材８０をケース４０とともに示す斜視図である。
【００９４】
接続突出片７５は、凸部７６として、第１凹部４８ａを移動可能となっている。第１凹部４８ａは第１方向ＤＡに延びている。そして、接続突出片７５によって形成された凸部７６は、第１方向ＤＡに第１凹部４８ａ内を移動可能となっている。その一方で、接続突出片７５によって形成された凸部７６が切欠形成壁部４５や第１リブ４６ａに接触することで、タブブロック７０のケース４０に対する第３方向ＤＣへの相対移動が規制される。また、接続突出片７５によって形成された凸部７６が切欠ガイド壁部４６に接触することで、又は、凸部７６が第１リブ４６ａ又は第２リブ４６ｂに接触することで、タブブロック７０のケース４０に対する第２方向ＤＢへの相対移動が規制される。
【００９５】
なお、図１３に示すように、第１方向ＤＡに沿って延びる一つの第１凹部４８ａ内に、第１方向ＤＡに配列された複数のタブブロック７０の凸部７６が入っている。そして、ケース４０は、タブブロック７０の第１方向ＤＡへのケース４０に対する相対移動を許容し、タブブロック７０の第２方向ＤＢや第３方向ＤＣへのケース４０に対する相対移動を規制するようして、複数のタブブロック７０を保持している。
【００９６】
タブブロック７０は、絶縁性材料を用いて形成される。タブブロック７０の絶縁ベース部７１、内側部７２、外側部７３及び接続ガイド部７４は、絶縁性の樹脂を用いて一体的に成形されていてもよい。
【００９７】
ところで、図１２に模式的に示すように、タブブロック７０は、セル３０の積層方向である第１方向ＤＡに直交する方向に沿ってセル３０の中央部３１Ｃからずれた位置に設けられている。図示された例において、タブブロック７０は、第１方向ＤＡに直交する第３方向ＤＣに沿って中央部３１Ｃからずれた位置に設けられている。すなわち、タブブロック７０は、第１方向ＤＡへの投影において、セル３０の中央部３１Ｃと重ならない。とりわけ図示された例において、タブブロック７０は、第１方向ＤＡへの投影において、セル３０の周縁部３１Ｅのみと重なり合うようにして、絶縁されるべき隣り合う二つのセル３０のタブ３５の間に位置している。
【００９８】
このように中央部３１Ｃからずれた位置において二つのセル３０のタブ３５の間に絶縁性のタブブロック７０を介在させることによって、絶縁されるべき隣り合う二つのセル３０のタブ３５を絶縁することができる。また、タブブロック７０を介在させることで、複数のセル３０の周縁部３１Ｅにおける撓みを効果的に防止し、セル３０の周縁部３１Ｅにおける姿勢を保つことができる。したがって、セル３０の撓み等にともなったタブ３５の移動を効果的に規制することができ、これにより、タブブロック７０によって隣り合う二つのセル３０のタブ３５の絶縁を安定して確保することができる。また、タブブロック７０をセル３０の中央部３１Ｃに対面しない位置に配置することで、タブブロック７０によって絶縁される二つのセル３０を、その中央部３１Ｃが第１方向ＤＡにおいて近接するようにして、配置することができる。これにより、二つのセル３０の絶縁を安定して確保することができるとともに、複数のセル３０を含む蓄電素子モジュール２０を小型化することができる。
【００９９】
加えて、複数のセル３０の周縁部における撓みを効果的に防止することができるので、セルの意図しない損傷等を効果的に回避することも可能となる。
【０１００】
また、ケース４０は、タブブロック７０の第１方向ＤＡへのケース４０に対する相対移動を許容する。その一方で、ケース４０は、タブブロック７０の第１方向ＤＡと非平行な方向、とりわけ第１方向ＤＡへ直交する第２方向ＤＢや第３方向ＤＣへのケース４０に対する相対移動を規制する。ケース４０がタブブロック７０をこのように支持することで、ケース４０に支持されたタブブロック７０が、セル３０の厚みばらつきに追従して、セル３０の積層方向である第１方向ＤＡへ移動することができる。これにより、タブブロック７０を用いた絶縁を安定して確保することができる。
【０１０１】
さらに、タブブロック７０は、少なくとも部分的にケース４０の側壁部４４に形成された切欠Ｃに配置されている。このような構成によれば、ケース４０に対するタブブロック７０の相対移動を効果的に抑制することができる。これにより、近接配置された隣り合う二つのセル３０のタブ３５を、簡易な構成により、絶縁することができる。
【０１０２】
さらに、タブブロック７０は側壁部４４によって支持され、セル３０はタブブロック７０を支持する側壁部４４によって区画された空間に収容されている。このような構成によれば、セル３０とタブブロック７０との相対移動を効果的に抑制することができる。したがって、近接配置された隣り合う二つのセル３０のタブ３５を、簡易な構成により、安定して絶縁することができる。
【０１０３】
さらに、側壁部４４は、セル３０の積層方向である第１方向ＤＡに延びる第１凹部４８ａを有し、タブブロック７０は、第１凹部４８ａに挿入され且つ第１凹部４８ａに対して第１方向ＤＡに相対移動可能な凸部７６を有している。このような構成によれば、タブブロック７０が、セル３０の厚みばらつきに追従して第１方向ＤＡへ移動することができる。これにより、簡易な構成を採用しながら安定して絶縁を確保することができる。
【０１０４】
ただし、上述した例に限られず、タブブロック７０の接続突出片７５によって形成される凸部７６が、第１凹部４８ａではなく第２凹部４８ｂ内に挿入されるようにしてもよい。また、上述した例とは異なり、タブブロック７０が、セル３０の積層方向である第１方向ＤＡに延びる凹部を有し、側壁部４４が、タブブロック７０の凹部に挿入され且つタブブロック７０の凹部に対して第１方向ＤＡに相対移動可能な凸部を有するようにしてもよい。これらの変形例によっても、同様の作用効果を奏することができる。
【０１０５】
さらに、図示された例において、膨出部３４ＡＰを有する第１外装材３４Ａが第１方向ＤＡにおける一側ＳＡ１を向き第２外装材３４Ｂが第１方向ＤＡにおける他側を向くセルと、第２外装材３４Ｂが第１方向ＤＡにおける一側ＳＡ１を向き第１外装材３４Ａが第１方向ＤＡにおける他側を向くセルと、が第１方向ＤＡに交互に積層されている。そして、図１２に示すように、タブブロック７０は、第１外装材３４Ａが互いに対面するようにして積層された二つのセルの間に、配置されている。このような構成によれば、隣り合う二つのセル３０のタブ３５の絶縁を確保しながら、当該二つのセル３０の中央部３１Ｃが第１方向ＤＡに近接するように配置することができる。すなわち、積層された複数の３０の第１方向ＤＡの厚みを薄くすることができる。また、複数のセル３０の周縁部３１Ｅにおける撓みを防止してセル３０の姿勢を保つことができる。これにより、二つのセル３０の絶縁を安定して確保することができるとともに、セル３０の意図しない損傷等を効果的に回避することができる。
【０１０６】
なお、図１２に示すように、このような構成において、タブブロック７０の第１方向ＤＡに沿った厚みＴｘは、第１方向ＤＡにおけるセル３０の中央部３１Ｃにおける突出長さＬｘの二倍以下であることが好ましい。このような範囲にタブブロック７０の厚みＴｘを設定することで、蓄電素子モジュール２０の厚みを薄型化することが可能となる。また、セル３０の周縁部３１Ｅにおける撓みを防止する観点から、タブブロック７０の第１方向ＤＡに沿った厚みＴｘは、第１方向ＤＡにおけるセル３０の中央部３１Ｃにおける突出長さＬｘより大きいことが好ましい。なお、図示された例において、第１方向ＤＡにおけるセル３０の中央部３１Ｃにおける突出長さＬｘは、第１外装材３４Ａの膨出部３４ＡＰにおける第１方向ＤＡへの突出長さに一致する。
【０１０７】
ここで、図２１は、図１３に対応する図であって、第１セル３０Ａ及び第２セル３０Ｂを取り除いた状態を示す斜視図である。図２１に示すように、また図１２に模式的に示すように、ケース４０に支持されたタブブロック７０の内側部７２は、第３方向ＤＣにおける外側（第３方向ＤＣにおいて中心から離間する側）からセル３０の中央部３１Ｃに接触することで、ケース４０に対する当該セル３０の第１方向ＤＡに直交する方向への移動を規制することができる。言い換えると、側壁部４４は、タブブロック７０を介して複数のセル３０の中央部３１Ｃに接触することで、複数のセル３０の第１方向ＤＡに非平行な方向、とりわけ第１方向ＤＡに直交する第３方向ＤＣへの移動を規制する。このような構成により、複数のセル３０を安定してケース４０内に保持することができる。とりわけ、セル３０の中央部３１Ｃは、第１方向ＤＡに一定の長さを有している。したがって、タブブロック７０とセル３０の中央部３１Ｃとの接触により、第１方向ＤＡに直交する方向に沿ったセル３０のケース４０に対する相対移動を安定して規制することができる。
【０１０８】
図１２に示すように、このような構成において、タブブロック７０の第１方向ＤＡに沿った厚みＴｘは、第１方向ＤＡにおけるセル３０の中央部３１Ｃにおける突出長さＬｘより大きいことが好ましい。このような範囲に厚みを設定することで、蓄電素子モジュール２０に含まれる多数のセル３０のケース４０に対する相対移動をより安定して規制することができる。
【０１０９】
次に、電極部材８０について更に詳述する。電極部材８０は、セル３０の積層方向である第１方向ＤＡに隣り合う二以上のセル３０のタブ３５と電気的に接続する。タブ３５は、導電性材料、典型的には金属を用いて形成される。
【０１１０】
図示された蓄電素子モジュール２０の一例に含まれる第１セル３０Ａ〜第１６セル３０Ｐの電気的な接続については、既に図１０を参照して説明したとおりである。そして、図１２に示すように、第２外装材３４Ｂが対面するようにして第１方向ＤＡに積層された隣り合う二つの蓄電素子モジュール２０の正極端子をなすタブ３５同士が、電極部材８０に固定されて電気的に接続されている。また、第２外装材３４Ｂが対面するようにして第１方向ＤＡに積層された隣り合う二つの蓄電素子モジュール２０の負極端子をなすタブ３５同士が、電極部材８０に固定されて電気的に接続されている。
【０１１１】
さらに、図１２に示された例では、第３方向ＤＣにおける一側ＳＣ１において、第３セル３０Ｃ、第４セル３０Ｄ、第５セル３０Ｅ及び第６セル３０Ｆのタブ３５が、互いに電気的に接続し、同一の電極部材８０に固定されている。また、第７セル３０Ｇ、第８セル３０Ｈ、第９セル３０Ｉ及び第１０セル３０Ｊのタブ３５が、互いに電気的に接続し、同一の電極部材８０に固定されている。さらに、第１１セル３０Ｋ、第１２セル３０Ｌ、第１３セル３０Ｍ及び第１４セル３０Ｎのタブ３５が、互いに電気的に接続し、同一の電極部材８０に固定されている。
【０１１２】
さらに、図１２に示された例では、第３方向ＤＣにおける他側において、第１セル３０Ａ、第２セル３０Ｂ、第３セル３０Ｃ及び第４セル３０Ｄが、互いに電気的に接続し、同一の電極部材８０に固定されている。第５セル３０Ｅ、第６セル３０Ｆ、第７セル３０Ｇ及び第８セル３０Ｈが、互いに電気的に接続し、同一の電極部材８０に固定されている。第９セル３０Ｉ、第１０セル３０Ｊ、第１１セル３０Ｋ及び第１２セル３０Ｌが、互いに電気的に接続し、同一の電極部材８０に固定されている。第１３セル３０Ｍ、第１４セル３０Ｎ、第１５セル３０Ｏ及び第１６セル３０Ｐが、互いに電気的に接続し、同一の電極部材８０に固定されている。
【０１１３】
図１９に示された電極部材８０の一例は、曲げられた板状材となっている。この電極部材８０は、細長い導通ベース部８１と、導通ベース部８１に対して接続した一対の連結部８２と、連結部８２に接続した一対の接続端部８３と、を有している。このような電極部材８０は、金属製の細長い板材を折り曲げることで作製され得る。
【０１１４】
導通ベース部８１は、第２方向ＤＢに細長く延びている。導通ベース部８１は、第１方向ＤＡ及び第２方向ＤＢに広がる板状部となっている。導通ベース部８１は、ケース４０の切欠Ｃに、第３方向ＤＣにおける外側（第３方向ＤＣにおいてセル３０を収容する空間から離間する側）から対面する位置に配置されている。導通ベース部８１には、配線等を接続するために用いられる螺子を固定するための螺子穴が設けられている。
【０１１５】
連結部８２は、導通ベース部８１の第２方向ＤＢにおける両端部に接続している。連結部８２は、第１方向ＤＡ及び第３方向ＤＣに広がる板状部となっている。接続端部８３は、連結部８２の第３方向ＤＣにおける内側（第３方向ＤＣにおけるセル３０を収容する空間の側）の端部に接続している。接続端部８３は、第１方向ＤＡ及び第２方向ＤＢに広がる板状部となっている。接続端部８３は、第３方向ＤＣにおける内側（第３方向ＤＣにおけるセル３０を収容する空間の側）から導通ベース部８１に対面している。
【０１１６】
各接続端部８３は、第２方向ＤＢにおいて、ケース４０の側壁部４４の切欠ガイド壁部４６に対面している。各接続端部８３は、第２方向ＤＢにおける内側に向けて、すなわち切欠ガイド壁部４６に向けて突出している。図２０に示された接続端部８３は、第１リブ４６ａと第２リブ４６ｂとの間に形成された溝状の第２凹部４８ｂに挿入されている。また、接続端部８３は、切欠形成壁部４５と第１リブ４６ａとの間に形成された溝状の第１凹部４８ａにも挿入され得るようになっている。接続端部８３を第１凹部４８ａ又は第２凹部４８ｂに挿入することで、電極部材８０はケース４０によって保持されるようになる。なお、接続端部８３を第２凹部４８ｂに挿入した場合、接続端部８３を第２凹部４８ｂに挿入した場合と比較して、電極部材８０は第３方向ＤＣにおける外側に位置するようになる。
【０１１７】
接続端部８３は、凸部８４として、第１凹部４８ａ及び第２凹部４８ｂを移動可能となっている。上述したように、第１凹部４８ａ及び第２凹部４８ｂは第１方向ＤＡに延びている。そして、接続端部８３によって形成された凸部８４は、第１方向ＤＡに第１凹部４８ａ内を移動可能となっており、また、第１方向ＤＡに第２凹部４８ｂ内を移動可能となっている。その一方で、接続端部８３によって形成された凸部８４は、切欠形成壁部４５、第１リブ４６ａ、第２リブ４６ｂに接触することで、電極部材８０のケース４０に対する第３方向ＤＣへの相対移動が規制される。また、接続端部８３によって形成された凸部８４が切欠ガイド壁部４６に接触することで、又は、連結部８２が第１リブ４６ａ又は第２リブ４６ｂに接触することで、電極部材８０のケース４０に対する第２方向ＤＢへの相対移動が規制される。
【０１１８】
なお、図１３に示すように、第１方向ＤＡに沿って延びる一つの第１凹部４８ａ又は第２凹部４８ｂ内に、第１方向ＤＡに配列された複数の電極部材８０の凸部８４が挿入され得る。この場合、ケース４０は、電極部材８０の第１方向ＤＡへのケース４０に対する相対移動を許容し、電極部材８０の第２方向ＤＢや第３方向ＤＣへのケース４０に対する相対移動を規制するようして、複数の電極部材８０を保持している。
【０１１９】
上述したように、タブ３５は、外装体３３から延び出した基端部３５Ａと、基端部３５Ａに対して屈曲した先端部３５Ｂと、を有している。そして、電極部材８０と電気的に接続する二以上のタブの先端部３５Ｂは、電極部材８０の導通ベース部８１上において互いに面接触した状態で、導通ベース部８１に固定されている。このような構成によれば、電気的に接続されるべきタブ３５が面接触した状態に安定して維持されるので、この二つのタブ３５の電気的な接続を安定して確保することができる。また、タブ３５を含むセル３０と電極部材８０との相対移動を安定して規制することもできる。
【０１２０】
とりわけ、図示された例において、タブ３５の基端部３５Ａは第１方向ＤＡに直交する方向（とりわけ第３方向ＤＣ）に延び、先端部３５Ｂは第１方向ＤＡに延びている。したがって、隣り合う二つのセル３０のタブ３５の電気的な接続を安定して確保することができる。また、タブ３５を含むセル３０と電極部材８０との相対移動、とりわけ第１方向ＤＡに直交する方向への相対移動を、より安定して規制することができる。
【０１２１】
図１２に模式的に示すように、電極部材８０は、タブブロック７０と同様に、セル３０の積層方向である第１方向ＤＡに直交する方向に沿ってセル３０の中央部３１Ｃからずれた位置に設けられている。図示された例において、電極部材８０は、第１方向ＤＡに直交する第３方向ＤＣに沿って中央部３１Ｃからずれた位置に設けられている。すなわち、電極部材８０は、第１方向ＤＡへの投影において、セル３０の中央部３１Ｃと重ならない。とりわけ図示された例において、電極部材８０は、第１方向ＤＡへの投影において、セル３０の周縁部３１Ｅのみと重なり合うようにして、電気的に接続されるべき隣り合う二つのセル３０のタブ３５の間に位置している。
【０１２２】
このように中央部３１Ｃからずれた位置において二つのセル３０のタブ３５の間に電極部材８０を介在させることによって、当該二つのセル３０の周縁部３１Ｅにおける撓みを効果的に防止してセル３０の姿勢を保つことができる。したがって、タブ３５の意図しない短絡、例えば一つのセル３０のタブ３５と他のセル３０の外装体３３との接触に起因した短絡等を効果的に回避することができる。また、電極部材８０をセル３０の中央部３１Ｃに対面しない位置に配置することで、セル３０の中央部３１Ｃが積層方向に互いに近接するようにして、複数のセル３０を積層することができる。これにより、二つのセル３０の電気的接続を安定して確保することができるとともに、複数のセル３０を含む蓄電素子モジュール２０を小型化することができる。加えて、複数のセル３０の周縁部における撓みを効果的に防止することができるので、セル３０の意図しない損傷等を効果的に回避することも可能となる。
【０１２３】
なお、第１セル３０Ａ及び第２セル３０Ｂの正極端子をなすタブ３５と電気的に接続した電極部材８０Ａは、互いに絶縁されるべき第２セル３０Ｂ及び第３セル３０Ｃの間に設けられている。同様に、第１５セル３０Ｏ及び第１６セル３０Ｐの負極端子をなすタブ３５と電気的に接続した電極部材８０Ｂは、互いに絶縁されるべき第１４セル３０Ｎ及び第１５セル３０Ｏの間に設けられている。これらの電極部材８０Ａ及び電極部材８０Ｂが配置される二つのセル３０の間には、上述したタブブロック７０も設けられている。
【０１２４】
電極部材８０Ａは、第１方向ＤＡにおいて、タブブロック７０と第２セル３０Ｂとの間に位置している。そして、タブブロック７０は、電極部材８０Ａと第３セル３０Ｃとの間に位置して、電極部材８０Ａを第３セル３０Ｃから絶縁している。電極部材８０Ｂは、第１方向ＤＡにおいて、タブブロック７０と第１５セル３０Ｏとの間に位置している。そして、タブブロック７０は、電極部材８０Ａと第１４セル３０Ｎとの間に位置して、電極部材８０Ａを第１４セル３０Ｎから絶縁している。
【０１２５】
電極部材８０Ａ及び電極部材８０Ｂは、タブブロック７０の外側部７３上に設けられている。上述したように、外側部７３の厚みは薄くなっている。また、電極部材８０の第１方向ＤＡに沿った厚みは、タブブロック７０の第１方向ＤＡに沿った最大厚みより薄くなっている。図示された例において、電極部材８０の第１方向ＤＡに沿った厚みは、タブブロック７０の絶縁ベース部７１の厚みより薄くなっている。そして、図１２に示すように、電極部材８０Ａ及び電極部材８０Ｂは、第１方向ＤＡにおいて、タブブロック７０が配置されている領域内に位置している。すなわち、タブブロック７０は、外側部７３において電極部材８０の配置スペースを確保しながら、絶縁ベース部７１又は内側部７２において二つのセル３０を第１方向ＤＡに互いにから離間させて、二つのセル３０のタブ３５の絶縁を確保している。
【０１２６】
その一方で、これらの電極部材８０Ａ及び電極部材８０Ｂ以外の電極部材８０は、第１方向ＤＡにおいて、互いに電気的に接続されるべき二つのセル３０の間に配置されている。そして、電気的に接続される二つのセル３０のうちの第１方向ＤＡにおける一側ＳＡ１（例えば下側）に位置するタブ３５の先端部３５Ｂは、当該タブ３５の基端部３５Ａに対して屈曲し、当該タブ３５の基端部３５Ａから第１方向ＤＡにおける他側（例えば上側）に延び出している。電気的に接続される二つのセルのうちの第１方向ＤＡにおける他側（例えば上側）に位置するタブ３５の先端部３５Ｂは、当該タブ３５の基端部３５Ａに対して屈曲し、当該タブ３５の基端部３５Ａから第１方向ＤＡにおける一側（例えば下側）に延び出している。このような構成によれば、セル３０が、厚みが薄くなった周縁部３１Ｅにおいて撓むことを効果的に防止して姿勢を保つことができる。セル３０に撓み等の変形を効果的に防止することで、タブ３５の意図しない短絡、例えば一つのセル３０のタブ３５と他のセル３０の外装体３３との接触に起因した短絡等を効果的に回避することができる。
【０１２７】
なお、図２０に示すように、電極部材８０Ａ及び電極部材８０Ｂの接続端部８３によって形成される凸部８４は側壁部４４の第２凹部４８ｂに挿入され、タブブロック７０の接続突出片７５によって形成される凸部７６は側壁部４４の第１凹部４８ａに挿入されている。電極部材８０Ａ及び電極部材８０Ｂ以外の電極部材８０について、接続端部８３によって形成される凸部８４は、側壁部４４の第２凹部４８ｂに挿入されてもよいし、図示されているように第１凹部４８ａに挿入されていてもよい。
【０１２８】
また、ケース４０は、電極部材８０の第１方向ＤＡへのケース４０に対する相対移動を許容し、電極部材８０の第１方向ＤＡへ直交する方向へのケース４０に対する相対移動を規制するよう、電極部材８０を支持する。このような構成によれば、ケース４０に保持された電極部材８０が、セル３０の厚みばらつきに追従して積層方向へ移動することができるので、電極部材８０を介してセルとの電気的接続を安定して確保することができる。
【０１２９】
さらに、電極部材８０は、複数のセル３０のタブ３５が通過する切欠Ｃを形成する側壁部４４によって支持されている。このような構成によれば、ケース４０に対する電極部材８０の相対移動を効果的に抑制することができる。これにより、隣り合う二つのセル３０のタブ３５を、簡易な構成により、電気的に接続することができる。とりわけ、タブ３５がケース４０の側壁部４４に対する相対移動を規制されることで、タブ３５と側壁部４４に支持された電極部材８０との相対移動を効果的に抑制することができる。これにより、セル３０との電気的な接続を安定して確保することができる。
【０１３０】
さらに、ケース４０の側壁部４４は第１方向ＤＡに延びる第１凹部４８ａ及び第２凹部４８ｂを有している。そして、電極部材８０は第１凹部４８ａ及び第２凹部４８ｂの少なくとも一方に挿入され且つ当該凹部に対して第１方向ＤＡに相対移動可能な凸部８４を有している。このような構成によれば、ケース４０に保持された電極部材８０が、セル３０の厚みばらつきに追従して第１方向ＤＡへ移動することができる。これにより、簡易な構成を採用しながら安定してセル３０のタブ３５との電気的な接続を確保することができる。
【０１３１】
ただし、上述した例に限られず、電極部材８０が、セル３０の積層方向である第１方向ＤＡに延びる凹部を有し、側壁部４４が、電極部材８０の凹部に挿入され且つ電極部材８０の凹部に対して第１方向ＤＡに相対移動可能な凸部を有するようにしてもよい。この変形例によっても、同様の作用効果を奏することができる。
【０１３２】
さらに、図示された例において、膨出部３４ＡＰを有する第１外装材３４Ａが第１方向ＤＡにおける一側ＳＡ１を向き第２外装材３４Ｂが第１方向ＤＡにおける他側を向くセルと、第２外装材３４Ｂが第１方向ＤＡにおける一側ＳＡ１を向き第１外装材３４Ａが第１方向ＤＡにおける他側を向くセルと、が第１方向ＤＡに交互に積層されている。そして、図１２に示すように、電極部材８０は、第１外装材３４Ａが互いに対面するようにして積層された二つのセルの間に、配置されている。このような構成によれば、隣り合う二つのセル３０のタブ３５の間に電極部材８０を配置して二つのセル３０のタブ３５の間の電気的接続を安定して確保しながら、当該二つのセル３０の中央部３１Ｃが第１方向ＤＡに近接するように配置することができる。すなわち、積層された複数の３０の第１方向ＤＡの厚みを薄くすることができる。また、複数のセル３０の周縁部３１Ｅにおける撓みを防止して姿勢を保つことができる。これにより、二つのセル３０の電気的接続を安定して確保することができるとともに、セル３０の意図しない損傷等を効果的に回避することができる。
【０１３３】
なお、図１２に示すように、このような構成において、タブブロック７０の第１方向ＤＡに沿った厚みＴｙは、第１方向ＤＡにおけるセル３０の中央部３１Ｃにおける突出長さＬｘの二倍以下であることが好ましい。このような範囲に電極部材８０の厚みＴｙを設定することで、蓄電素子モジュール２０の厚みを薄型化することが可能となる。また、セル３０の周縁部３１Ｅにおける撓みを防止する観点から、電極部材８０の第１方向ＤＡに沿った厚みＴｙは、第１方向ＤＡにおけるセル３０の中央部３１Ｃにおける突出長さＬｘより大きいことが好ましい。なお、図示された例において、第１方向ＤＡにおけるセル３０の中央部３１Ｃにおける突出長さＬｘは、第１外装材３４Ａの膨出部３４ＡＰにおける第１方向ＤＡへの突出長さに一致する。
【０１３４】
以上に説明してきた一実施の形態において、蓄電素子モジュール２０は、第１方向（積層方向）ＤＡに積層された複数のセル３０と、複数のセル３０を収容するケース４０であって第１方向ＤＡにおける一側ＳＡ１から複数のセル３０を支持する底部４２と底部４２から第１方向ＤＡへ立ち上がった側壁部４４とを有するケース４０と、第１方向ＤＡにおける他側に開口したケース４０の開口部４０ａを覆うカバー６０と、を含んでいる。そして、カバー６０は、第１方向ＤＡに移動可能にケース４０に保持される。このような一実施の形態によれば、ケース４０に取り付けられたカバー６０がケース４０に対して第１方向ＤＡに移動可能であるため、セル３０の厚みのばらつきを吸収することができる。すなわち、複数のセル３０を近接して積層してケース４０内に収納し、カバー６０をケース４０に取り付けることができる。したがって、セル３０をケース４０及びカバー６０によって安定して保持及び保護しながら蓄電素子モジュール２０の厚みを薄くすることができる。これにより、蓄電素子モジュール２０及び蓄電素子ユニット１０のエネルギー効率を改善することができる。また、一例としてスペーサーを不要とする例部品点数を削減して構造を簡易化することができるので、蓄電素子モジュール２０及び蓄電素子ユニット１０の製造コストを削減し且つ生産性を向上させることができる。
【０１３５】
また、この一実施の形態において、蓄電素子モジュール組合体１５は、第１の蓄電素子モジュール２０Ａ及び第２の蓄電素子モジュール２０Ｂを有し、第１の蓄電素子モジュール２０Ａの側壁部４４が、第１方向ＤＡにおける一側から、第２の蓄電素子モジュール２０Ｂのケース４０に接触することで、第１の蓄電素子モジュール２０Ａ及び第２の蓄電素子モジュール２０Ｂが積み重ねられる。そして、第１の蓄電素子モジュール２０Ａ及び第２の蓄電素子モジュール２０Ｂが積み重ねられた状態で、第１の蓄電素子モジュール２０Ａのカバー６０は、第２の蓄電素子モジュール２０Ｂから離間している。このような一実施の形態によれば、第１の蓄電素子モジュール２０Ａ上に積み重ねられた第２の蓄電素子モジュール２０Ｂは、第１の蓄電素子モジュール２０Ａの側壁部４４上に支持されて、カバー６０から離間している。したがって、第２の蓄電素子モジュール２０Ｂが、第１の蓄電素子モジュール２０Ａの複数のセル３０を、カバー６０を介して、押圧することを効果的に回避することができる。これにより、複数の蓄電素子モジュール２０を小型化された空間に配置しながら、蓄電素子モジュール２０のセル３０の損傷を効果的に回避することができる。
【０１３６】
別の観点から、以上に説明してきた一実施の形態において、蓄電素子モジュール組合体１５は、第１方向（積層方向）ＤＡに積み重ねられた複数の蓄電素子モジュール２０を有し、各蓄電素子モジュール２０が複数のセル３０を有している。複数の蓄電素子モジュール２０に含まれる第１の蓄電素子モジュール２０Ａが、複数の蓄電素子モジュール２０に含まれる第２の蓄電素子モジュール２０Ｂに第１方向（積層方向）ＤＡにおける一側ＳＡ１から接触することで、第１の蓄電素子モジュール２０Ａ及び第２の蓄電素子モジュール２０Ｂが積み重ねられる。第１の蓄電素子モジュール２０Ａは、第１方向ＤＡにおける他側に突出して第２の蓄電素子モジュール２０Ｂに接触する第１突出部５１及び第２突出部５２を有している。第１突出部５１及び第２突出部５２は、第１方向ＤＡに直交する第２方向ＤＢに互いから離間している。そして、第２方向ＤＢにおける第１突出部５１及び第２突出部５２の間となる領域において、第１の蓄電素子モジュール２０Ａ及び第２の蓄電素子モジュール２０Ｂは互いから第１方向ＤＡに離間している。このような一実施の形態によれば、第１の蓄電素子モジュール２０Ａ及び第２の蓄電素子モジュール２０Ｂが、第２方向ＤＢにおける第１突出部５１及び第２突出部５２の間において、第１方向ＤＡに離間している。すなわち、この第１の蓄電素子モジュール２０Ａ及び第２の蓄電素子モジュール２０Ｂの間の空間に、送風することで、或いは、伝熱部材２５を配置することで、第１の蓄電素子モジュール２０Ａ及び第２の蓄電素子モジュール２０Ｂに熱が溜まってしまうことを効果的に回避して、第１の蓄電素子モジュール２０Ａ及び第２の蓄電素子モジュール２０Ｂからの放熱を効果的に促進することができる。すなわち、蓄電素子モジュール２０の温度上昇を抑制して、蓄電素子モジュール２０を有効に機能させることができる。
【０１３７】
更に別の観点から、以上に説明してきた一実施の形態において、蓄電素子モジュール２０は、第１方向（積層方向）ＤＡに積層された複数のセル３０と、第１方向ＤＡに隣り合う或る二つのセル３０のタブ３５の間に配置された絶縁性のタブブロック７０と、を有する。各セル３０は周縁部３１Ｅにタブ３５を有し、周縁部３１Ｅにおける厚みが周縁部３１Ｅによって取り囲まれる中央部３１Ｃの厚みよりも薄くなっている。絶縁性のタブブロック７０は、第１方向ＤＡに直交する方向に沿って中央部３１Ｃからずれた位置に設けられている。このような一実施の形態によれば、二つのセル３０の間にタブブロック７０を介在させることによって、複数のセル３０の周縁部３１Ｅにおける撓みを効果的に防止して姿勢を保つことができる。したがって、タブブロック７０によって隣り合う二つのセル３０のタブ３５の絶縁を確保することができる。また、タブブロック７０をセル３０の周縁部３１Ｅに対面しない位置に配置することで、タブブロック７０によって絶縁される二つのセル３０を、その中央部３１Ｃが第１方向ＤＡに近接するようにして、配置することができる。これにより、二つのセル３０の絶縁を安定して確保することができるとともに、複数のセル３０を含む蓄電素子モジュール２０を小型化することができる。結果として、蓄電素子モジュール２０及び蓄電素子ユニット１０のエネルギー効率を改善することができる。加えて、複数のセル３０の周縁部３１Ｅにおける撓みを効果的に防止することができるので、セル３０の意図しない損傷等を効果的に回避することも可能となる。
【０１３８】
更に別の観点から、以上に説明してきた一実施の形態において、蓄電素子モジュール２０は、第１方向（積層方向）ＤＡに積層された複数のセル３０と、第１方向ＤＡに隣り合い互いに電気的に接続された或る二つのセル３０のタブ３５の間に配置され、電気的に接続された二つのセル３０と電気的に接続した電極部材（バスバー）８０と、を有する。各セル３０は周縁部３１Ｅにタブ３５を有し、周縁部３１Ｅにおける厚みが周縁部３１Ｅによって取り囲まれる中央部３１Ｃの厚みよりも薄くなっている。そして、電極部材８０は、第１方向ＤＡに直交する方向に中央部３１Ｃからずれた位置に設けられている。このような一実施の形態によれば、電極部材８０を用いることで、二つのセル３０を安定して電気的に接続することができる。また、電極部材８０をセル３０の中央部３１Ｃに対面しない位置に配置することで、電極部材８０によって電気的に接続される二つのセル３０を、その中央部３１Ｃが第１方向ＤＡに近接するようにして、配置することができる。これにより、二つのセル３０の電気的接続を安定して確保することができるとともに、複数のセル３０を含む蓄電素子モジュール２０を小型化することができる。結果として、蓄電素子モジュール２０及び蓄電素子ユニット１０のエネルギー効率を改善することができる。加えて、二つのセル３０の間に電極部材８０を介在させることによって、複数のセル３０の周縁部３１Ｅにおける撓みを効果的に防止して姿勢を保つことができる。したがって、セル３０の意図しない短絡、例えば一つのセル３０のタブ３５と他のセル３０の外装体３３との接触等を効果的に回避することもできる。
【０１３９】
一実施の形態を複数の具体例により説明してきたが、上述した具体例が一実施の形態を限定することを意図していない。上述した一実施の形態は、その他の様々な具体例で実施されることが可能であり、その要旨を逸脱しない範囲で、種々の省略、置き換え、変更、追加を行うことができる。例えば、上述した一具体例において、セル３０が、第１方向ＤＡにおける一方の側のみに膨出している例を示したが、これに限られず、例えば図２２に示すように、セル３０が第１方向ＤＡにおける両側に膨出していてもよい。
【符号の説明】
【０１４０】
ＤＡ   第１方向
ＳＡ１ 一側
ＤＢ   第２方向
ＳＢ１ 他側
ＤＣ   第３方向
ＳＣ１ 一側
Ｃ     切欠
Ｖ     空隙
１０   蓄電素子ユニット
１１   収納箱
１２   フレーム
１３   パネル
１４   制御モジュール
１５   蓄電素子モジュール組合体
１５Ａ 第１の蓄電素子モジュール組合体
１５Ｂ 第２の蓄電素子モジュール組合体
１８   収容体
２０   蓄電素子モジュール
２０Ａ 第１の蓄電素子モジュール
２０Ｂ 第２の蓄電素子モジュール
２１   第１端部カバー
２２   第２端部カバー
２５   伝熱部材
３０、３０Ａ〜３０Ｐ セル
３１Ｅ 周縁部
３１Ｃ 中央部
３２   電極板
３３   外装体
３４Ａ 第１外装材
３４ＡＰ      膨出部
３４Ｂ 第２外装材
３５   タブ
３５Ａ 基端部
３５Ｂ 先端部
３８   接合層
４０   ケース
４０ａ 開口部
４２   底部
４４   側壁部
４４ａ 主壁部
４４ｂ 外壁部
４５   切欠形成壁部
４６   切欠ガイド壁部
４６ａ 第１リブ
４６ｂ 第２リブ
４８ａ 第１凹部
４８ｂ 第２凹部
４９   受け部
４９ａ 穴
５１   第１突出部
５１ａ 突出部支持部
５１ｂ ガイド部
５２   第２突出部
５２ａ 突出部支持部
５２ｂ ガイド部
５３   内リブ
５６   第１係合部
５７   第２係合部
５８   膨出規制部
６０   カバー
６１   カバー本体
６２   固定部
６２ａ 延出部
６２ｂ 爪部
７０   タブブロック
７１   絶縁ベース部
７２   内側部
７３   外側部
７４   接続ガイド部
７５   接続突出片
７６   凸部
８０、８０Ａ、８０Ｂ 電極部材
８１   導通ベース部
８２   連結部
８３   接続端部
８４   凸部
【図１】
2020170621.tif 000003
【図２】
2020170621.tif 000004
【図３】
2020170621.tif 000005
【図４】
2020170621.tif 000006
【図５】
2020170621.tif 000007
【図６】
2020170621.tif 000008
【図７】
2020170621.tif 000009
【図８】
2020170621.tif 000010
【図９】
2020170621.tif 000011
【図１０】
2020170621.tif 000012
【図１１】
2020170621.tif 000013
【図１２】
2020170621.tif 000014
【図１３】
2020170621.tif 000015
【図１４】
2020170621.tif 000016
【図１５】
2020170621.tif 000017
【図１６】
2020170621.tif 000018
【図１７】
2020170621.tif 000019
【図１８】
2020170621.tif 000020
【図１９】
2020170621.tif 000021
【図２０】
2020170621.tif 000022
【図２１】
2020170621.tif 000023
【図２２】
2020170621.tif 000024